(57)【要約】【課題】  クロスなどの壁装材を壁面に貼り付けて仕上げるクロス仕上げ工事において、壁の角部を綺麗仕上げる目的で壁下地に貼り付けて用いる場合や、左官仕上げ工事において、塗り壁の角部を綺麗に仕上げる目的、また、端部起し等、壁の端部を綺麗に仕上げる目的でモルタル等の塗り壁装材に埋め込んで用いる壁装用コーナー材において、壁の角部に簡単かつ正確に位置決め可能な壁装用コーナー材を提供する。【解決手段】  壁の縁面に添設される取付部と、壁の角部に円弧形状を形成するための定規部が設けられる壁装用コーナー材において、前記定規部の内側には前記壁の角部に対して前記壁装用コーナー材を位置決するための凹溝が形成されている。【選択図】図３
2017053100.tif 000002
【特許請求の範囲】
【請求項１】
壁の縁面に添設される取付部と、壁の角部に円弧形状を形成するための定規部が設けられる壁装用コーナー材において、前記定規部の内側には前記壁の角部に対して前記壁装用コーナー材を位置決するための凹溝が形成されていることを特徴とする壁装用コーナー材。
【請求項２】
前記凹溝の断面形状は前記壁の角部の断面形状と同一の形状であって、前記凹溝に前記壁の角部を重ね合わせて取り付けることにより、前記壁装用コーナー材を正確に位置決めすることが可能であることを特徴とする請求項１記載の壁装用コーナー材。
【請求項３】
前記壁装用コーナー材は、前記壁の角部に取り付けた場合に前記凹溝の断面上部に前記壁の角部の頂点が接触するか、または前記凹溝の断面端部が前記壁の角部に接触することで前記壁装用コーナー材を前記壁の角部に正確に位置決めすることが可能であることを特徴とする請求項１記載の壁装用コーナー材。
【請求項４】
前記壁装用コーナー材は、前記壁の角部に取り付けた場合に前記凹溝の断面上部に前記壁の角部の頂点が接触し、かつ前記取付部の一端がそれぞれ前記壁の角部に接触することで、前記凹溝と前記取付部の一端と前記壁の角部が断面視で３点接触して固定される形状であることを特徴とする請求項１記載の壁装用コーナー材。
【請求項５】
前記凹溝の近傍に前記壁装用コーナー材を折り曲げるための折り曲げ部材が設けられていることを特徴とする請求項１から４のいずれか一項記載の壁装用コーナー材。
【請求項６】
前記凹溝の近傍に前記壁装用コーナー材を折り曲げるための切れ目が設けられていることを特徴とする請求項１から５のいずれか一項記載の壁装用コーナー材。
【請求項７】
前記取付部には第１の接着部材が設けられ、前記凹溝には第２の接着部材が設けられ、前記第１の接着部材と前記第２の接着部材の材質が異なることを特徴とする請求項１から６のいずれか一項記載の壁装用コーナー材。
【請求項８】
壁の角部に引掛けるための引掛け部と引掛け部端部から構成される壁装用コーナー材において、前記引掛け部と前記引掛け部端部の接合箇所に切れ目が形成され、前記引掛け部と前記引掛け部端部は前記壁装用コーナー材を前記壁の角部に取り付けた際に、前記壁の角部に連続した円弧形状を形成することを特徴とする壁装用コーナー材。
【請求項９】
前記壁装用コーナー材をロール状に巻き回すと、前記定規部、前記引掛け部または前記引掛け部端部が密に接触してロール状に捲回されることを特徴とする請求項１から８のいずれか一項記載の壁装用コーナー材。
【発明の詳細な説明】
【技術分野】
【０００１】
本発明は、クロスなどの壁装材を壁面に貼り付けて仕上げるクロス仕上げ工事において、壁の角部を綺麗仕上げる目的で壁下地に貼り付けて用いる場合や、左官仕上げ工事において、塗り壁の角部を綺麗に仕上げる目的、また、端部起し等、壁の端部を綺麗に仕上げる目的でモルタル等の塗り壁装材に埋め込んで用いる壁装用コーナー材（壁装用コーナー材）に関する。
【背景技術】
【０００２】
この種の壁装用コーナー材は、建造物の出隅壁を形成する壁角部縁面に添設される取付部と、壁角部から張り出される円弧形状の定規部を有し、前記定規部の頭頂箇所を規準にしてモルタル等の塗り壁材を塗布することにより厚み出しと角出しを行ない、前記塗り壁材の乾燥固化後、その表面に吹き付け塗装を行なっている。上記頭頂箇所の表面（頭頂面）は上記塗布された塗り壁材表面より露出されて角出しと角部補強とが図られ、露出された前記頭頂箇所の表面は吹き付け塗装により塗り壁材表面から連続する塗膜で覆われ隠蔽される。前記定規部は、張り出し、突出した形状のものもある。
【０００３】
従来技術として、壁の角部に円弧形状を形成する壁装用コーナー材として次のものが開示されている。
特許文献１には、該コーナ部の仕上げを丸みを帯びた美麗なものとするためのコーナー材に関するもので、幅方向の中央部に縦方向の中心線に沿って折り曲げ可能な蝶番部を設け、該蝶番部の左右両側にそれぞれ所定幅のプレートを一体に設けたコーナー材であって、前記蝶番部には、軟質の筋と硬質の筋とが複数条交互に形成されていることを特徴とするコーナー材（請求項１）や、左右のプレートの裏面側に接着剤層が形成されているコーナー材が開示されている（請求項３）。
特許文献２には、壁下地などの出隅部や入隅部に所望の曲面を画一的に得られ、安全で美麗な外観に仕上げられるようにするものであり、隅角部に固定される長尺のコーナーテープ１１において、隅角に固定される直線状の隅角相当部１２と、隅角の両側に固定され複数の貫通穴３１を有する板状の平板部１３を幅方向に配設する。これら左右一対の平板部１３は隅角相当部１２に対して、隅角相当部１２および平板部１３よりも柔軟で変形容易な材料からなるヒンジ部１４で一体形成して、平板部１３同士が同一平面上に並んだ平らな形状とする。隅角相当部１２における固定時に表面側に現れる面に、平板部１３における固定時に表面側に現れる面よりも突出して幅方向に湾曲する外側Ｒ面部２１を形成する。
【先行技術文献】
【特許文献】
【０００４】
【特許文献１】特開２００８−０５７２４８号公報
【特許文献２】特開２０１５−１２４５９０号公報
【発明の開示】
【発明が解決しようとする課題】
【０００５】
ところで、壁装用コーナー材の前記蝶番部や前記ヒンジ部が円弧形状である場合、壁の角部が直角の形状であったり、面取りされている場合もあるため、壁の角部に対して、正確に前記蝶番部や前記ヒンジ部を配置して壁装用コーナー材を取り付けることが困難で、壁の縁面の左右のうちのいずれかに傾いて取り付けられてしまうことが多い。そして、さらに壁装用コーナー材の取付部等に剥離紙付きの接着部材が貼着されているものでは（特許文献１の請求項３を参照）、壁装用コーナー材を壁の角部に対して位置決めしてからその状態を維持したまま剥離紙を剥がそうとすると、せっかく位置決めした壁装用コーナー材が移動してしまい、壁の角部に正確に円弧形状を形成することができなくなってしまう。
【０００６】
そこで、本発明の目的は、壁装用コーナー材を壁の角部に対して簡単かつ正確に位置決めすることが可能な壁装用コーナー材を提供することを目的とする。
【課題を解決するための手段】
【０００７】
ここで、「軟質の合成樹脂」とは、軟質のポリ塩化ビニル、スチレン系熱可塑性エラストマー、オレフィン系熱可塑性エラストマー等の合成樹脂であり、デュロメータ硬さ（ＪＩＳ  Ｋ  ７２１５に準拠）がタイプＡで３０以上で、かつ９０以下とする。
また、「半硬質の合成樹脂」とは、半硬質のポリ塩化ビニルや上記ポリスチレンとスチレン系熱可塑性エラストマーとの混合材料、上記ポリオレフィンとオレフィン系熱可塑性エラストマーとの混合材料等で形成された合成樹脂であり、デュロメータ硬さ（ＪＩＳ  Ｋ  ７２１５に準拠）がタイプＤで４０以上で、かつ８０以下とする。
そして、「硬質の合成樹脂」とは、ポリ塩化ビニル、耐衝撃性ポリスチレン、アクリルニトリルーブタジエンースチレン共重合体（ＡＢＳ樹脂）などのポリスチレン、ポリエチレン、ポリプロピレンなどのポリオレフィン、ポリエチレンテレフタレート（ＰＥＴ樹脂）等の合成樹脂であり、デュロメータ硬さ（ＪＩＳ  Ｋ  ７２１５に準拠）がタイプＤで６５以上で、かつ１００以下とする。
【０００８】
本発明の壁装用コーナー材は、壁の縁面に添設される取付部と、壁の角部に円弧形状を形成するための定規部が設けられる壁装用コーナー材において、前記定規部の内側には前記壁の角部に対して前記壁装用コーナー材を位置決するための凹溝が形成されていることを特徴とする。
本発明によれば、壁の角部に対して前記壁装用コーナー材を位置決めするための凹溝が形成されているため、前記壁の角部の頂点を前記凹溝に合わせることで前記壁装用コーナー材を簡単かつ正確に位置決めすることが可能となる。
ここで、前記凹溝は、壁の角部を位置決めできるものであれば、その形状は問われず、前記壁の角部と同様の形状のものであったり、断面視で三角形状のものや、正方形状、長方形状、台形状、半円形状、半楕円形状、Ｕ字状、Ｖ字状、波形状または切れ込み等であってもよい。
【０００９】
本発明の壁装用コーナー材は、前記凹溝の断面形状が前記壁の角部の断面形状と同一の形状であって、前記凹溝に前記壁の角部を重ね合わせて取り付けることにより、前記壁装用コーナー材を正確に位置決めすることが可能であることを特徴とする。
本発明によれば、前記凹溝の断面形状が前記壁の角部の断面形状と同一の形状であるため、前記凹溝に前記壁の角部を重ね合せることにより、簡単かつ正確に壁装用コーナー材を取り付けることが可能となる。
【００１０】
本発明の壁装用コーナー材は、前記壁の角部に取り付けた場合に前記凹溝の断面上部に前記壁の角部の頂点が接触するか、または前記凹溝の断面端部が前記壁の角部に接触することで前記壁装用コーナー材を前記壁の角部に正確に位置決めすることが可能であることを特徴とする。
本発明によれば、前記凹溝の形状が、前記凹溝に前記壁の角部を取り付けた場合に、前記凹溝の断面上部に前記壁の角部の頂点が接触するか、または前記凹溝の断面端部が前記壁の角部に接触することで、前記壁装用コーナー材を前記壁の角部に簡単かつ正確に位置決めすることが可能となる。
【００１１】
本発明の壁装用コーナー材は、前記壁の角部に取り付けた場合に前記凹溝の断面上部に前記壁の角部の頂点が接触し、かつ前記取付部の一端がそれぞれ前記壁の角部に接触することで、前記凹溝と前記取付部の一端と前記壁の角部が断面視で３点接触して固定される形状であることを特徴とする。
本発明によれば、前記凹溝と前記取付部の一端の形状が前記壁の角部に取り付けた場合に前記凹溝の断面上部に前記壁の角部の頂点が接触し、かつ前記取付部の一端がそれぞれ前記壁の角部に接触することで、前記凹溝と前記取付部の一端と前記壁の角部が断面視で３点接触して固定される形状となり、前記定規部が突出した形状であっても前記壁の角部を簡単かつ正確に位置決めすることが可能となる。
【００１２】
本発明の壁装用コーナー材は、前記凹溝の近傍に前記壁装用コーナー材を折り曲げるための折り曲げ部材が設けられていることを特徴とする。
本発明によれば、前記凹溝の近傍に折り曲げ部材が設けられているため、壁の角部から縁面に沿って簡単に折り曲げることが可能で、かつ前記壁装用コーナー材を壁の角部に対して位置決めした後に、位置決めした状態を維持したまま前記取付部に取り付けられている剥離紙を剥がして壁の壁面に接着することが可能で、簡単かつ正確に前記壁装用コーナー材を壁に取り付けることが可能となる。
【００１３】
本発明の壁装用コーナー材は、前記凹溝の近傍に前記壁装用コーナー材を折り曲げるための切れ目が設けられていることを特徴とする。
本発明によれば、前記凹溝の近傍に切れ目が設けられているため、壁の角部から縁面に沿って簡単に折り曲げることが可能であるとともに、所定の角度で切れ目を形成することによって、折り曲げ角度を規制することが可能となる。
【００１４】
本発明の壁装用コーナー材は、前記取付部には第１の接着部材が設けられ、前記凹溝には第２の接着部材が設けられ、前記第１の接着部材と前記第２の接着部材の材質が異なることを特徴とする。
本発明によれば、前記第１の接着部材は接着力の高い接着部材とし、前記第２の接着部材は壁の角部Ｐに取り付けた際に壁の角部Ｐ周辺に広がることが可能な軟弱系接着剤を使用することで、前記壁装用コーナー材を壁の角部Ｐに取り付けた場合に、前記第２の接着部材が前記壁の角部Ｐと前記壁装用コーナー材との隙間を埋める働きをして、前記定規部を強固かつ正確に前記壁の角部Ｐに取り付けることが可能となる。そして、前記取付部に取り付けられた第１の接着部材を使用して前記壁装用コーナー材をさらに強力に壁に固定することが可能となる。
前記第２の接着部材は、圧力を加えると広がるが前記凹溝から流れ落ちることがない程度の粘性をもつ接着部材であり、例えば酢酸ビニル系接着剤が挙げられ、前記第１の接着部材は、例えば両面テープ等が挙げられる。
【００１５】
本発明は、壁の角部に引掛けるための引掛け部と引掛け部端部から構成される壁装用コーナー材において、前記引掛け部と前記引掛け部端部の接合箇所に切れ目が形成され、前記引掛け部と前記引掛け部端部は前記壁装用コーナー材を前記壁の角部に取り付けた際に、前記壁の角部に連続した円弧形状を形成することを特徴とする。
本発明としては、前記壁装用コーナー材の引掛け部を壁の角部に引掛けることで簡単かつ正確に壁装用コーナー材を位置決めすることが可能で、かつ前記引掛け部を壁の角部に引掛け、前記引掛け部端部を壁の角部周辺に取り付けた場合に前記引掛け部と前記引掛け部端部で連続した円弧形状を形成するため、外側に綺麗な円弧形状を形成することができる。
【００１６】
本発明の壁装用コーナー材は、前記壁装用コーナー材をロール状に巻き回すと、前記定規部、前記引掛け部または前記引掛け部端部が密に接触してロール状に捲回されることを特徴とする。
本発明によれば、前記壁装用コーナー材をロール状に捲回し、所定長さで切断して使用することができるため、保管や販売での包装を容易にすることができる。また、スリットを形成することにより、ロール状に巻き回しても、前記壁装用コーナー材が形状を保った状態で変形してロール状に巻きまわすことができる。
【発明の効果】
【００１７】
本発明によれば、前記壁の角部を前記凹溝に合わせることで前記壁装用コーナー材を簡単かつ正確に位置決めすることが可能となり、前記壁装用コーナー材の位置ずれを防止する。
また本発明によれば、前記凹溝の近傍に折り曲げ部材及び／又は切れ目が設けられているため、壁の角部から縁面に沿って簡単に折り曲げることが可能で、かつ前記壁装用コーナー材を壁の角部に対して位置決めした後に、位置決めした状態を維持したまま前記取付部に取り付けられている剥離紙を剥がして壁の壁面に接着することが可能で、簡単かつ正確に前記壁装用コーナー材を壁に取り付けることが可能となる。
【図面の簡単な説明】
【００１８】
【図１】本発明の第１の実施形態の壁装用コーナー材をロール状に巻回した状態を示す斜視図である。
【図２】上記第１の実施形態の壁装用コーナー材を示す側面図である。
【図３】上記第１の実施形態の壁装用コーナー材のＡ−Ａ断面図である。
【図４】上記第１の実施形態の壁装用コーナー材のＢ拡大図である。
【図５】上記第１の実施形態の壁装用コーナー材のＣ拡大図である。
【図６】上記第１の実施形態の壁装用コーナー材を壁に適用した場合の断面図である。
【図７】本発明の第２の実施形態の壁装用コーナー材を示す正面図である。
【図８】上記第２の実施形態の壁装用コーナー材を示す側面図である。
【図９】上記第２の実施形態の壁装用コーナー材を壁に適用した場合の断面図である。
【図１０】本発明の第３の実施形態の壁装用コーナー材を示す正面図である。
【図１１】上記第３の実施形態の壁装用コーナー材を示す側面図である。
【図１２】上記第３の実施形態の壁装用コーナー材を壁に適用した場合の断面図である。
【図１３】本発明の第４の実施形態の壁装用コーナー材を示す正面図である。
【図１４】本発明の第５の実施形態の壁装用コーナー材を示す正面図である。
【図１５】本発明の第６の実施形態の壁装用コーナー材を示す正面図である。
【図１６】上記第６の実施形態の壁装用コーナー材を示す側面図である。
【図１７】上記第６の実施形態の壁装用コーナー材を壁に適用した場合の断面図である。
【図１８】本発明の第７の実施形態の壁装用コーナー材を示す正面図である。
【図１９】上記第７の実施形態の壁装用コーナー材の定規部を示す分解正面図である。
【図２０】上記第７の実施形態の壁装用コーナー材の取付部を示す分解正面図である。
【図２１】上記第７の実施形態の壁装用コーナー材を示す側面図である。
【図２２】上記第７の実施形態の壁装用コーナー材を壁に適用した場合の断面図である。
【図２３】本発明の第８の実施形態の壁装用コーナー材を示す正面図である。
【図２４】上記第８の実施形態の壁装用コーナー材を示す側面図である。
【図２５】上記第８の実施形態の壁装用コーナー材を壁に適用した場合の断面図である。
【図２６】本発明の第９の実施形態の壁装用コーナー材を示す正面図である。
【図２７】上記第９の実施形態の壁装用コーナー材を示す側面図である。
【図２８】上記第９の実施形態の壁装用コーナー材を壁に適用した場合の断面図である。
【図２９】本発明の第１０の実施形態の壁装用コーナー材を示す正面図である。
【図３０】上記第１０の実施形態の壁装用コーナー材を示す側面図である。
【図３１】上記第１０の実施形態の壁装用コーナー材を壁に適用した場合の断面図である。
【図３２】本発明の第１１の実施形態の壁装用コーナー材を示す正面図である。
【図３３】上記第１１の実施形態の壁装用コーナー材を示す側面図である。
【図３４】上記第１１の実施形態の壁装用コーナー材を壁に適用した場合の断面図である。
【図３５】本発明の第１２の実施形態の壁装用コーナー材を示す正面図である。
【図３６】上記第１２の実施形態の壁装用コーナー材を示す側面図である。
【図３７】上記第１２の実施形態の壁装用コーナー材を壁に適用した場合の断面図である。
【図３８】本発明の第１３の実施形態の壁装用コーナー材の頭部拡大図（Ｂ’）である。
【図３９】上記第１３の実施形態の壁装用コーナー材を壁に適用した場合の断面図である。
【発明を実施するための形態】
【００１９】
以下、本発明を実施するための形態を図面を引用しながら説明する。
【００２０】
（第１の本実施の形態）
図１は本発明の第１の実施形態の壁装用コーナー材をロール状に巻回した状態を示す斜視図であり、図２は上記第１の実施形態の壁装用コーナー材を示す側面図である。図３は上記第１の実施形態の壁装用コーナー材のＡ−Ａ断面図であり、図４は上記第１の実施形態の壁装用コーナー材のＢ拡大図である。図５は上記第１の実施形態の壁装用コーナー材のＣ拡大図であり、図６は上記第１の実施形態の壁装用コーナー材を壁に適用した場合の断面図である。
【００２１】
本実施の形態の壁装用コーナー材１０は、クロスなどの壁装材を壁面に貼り付けて仕上げるクロス仕上げ工事、左官仕上げ工事またはペンキ工事において、壁の角部を綺麗に仕上げる目的で使用されるコーナー材において、壁の角部に正確に位置決めして貼り付け可能な部材であり、壁の縁面Ｑに添設される一対の取付部１３，１３と、壁の角部Ｐに取り付けられる定規部１２とを備える（図３、図４、図６）。
前記壁装用コーナー材１０はロール状に捲回でき、所定の長さで引き出して切断し使用することができる（図１）。
【００２２】
前記定規部１２は、断面が円弧状である定規部中心部１２１と当該定規部１２２の両端に取り付けられた一対の折り曲げ部材１２２，１２２から構成される。
前記定規部中心部１２１は、壁の角部Ｐの頂点部分に取り付けられ、塗り壁材もしくはクロスを取り付けた際になだらかな湾曲した円弧形状を形成するために円弧形状をなす。前記定規部中心部１２１の上面（塗り壁材、パテもしくはクロスを取り付ける側の側面）に凹凸１２４が形成される（図４）。凹凸１２４は連続した凹凸形状、連続した三角形状または波形等でも良い。上面が凹凸になっていることにより、塗り壁材、パテまたはクロスが食いつき易いという効果がある。また前記定規部中心部１２１の底面（壁側に取り付ける側面）中心位置には壁の角部Ｐの頂点を受け入れる凹溝１２３が形成される。当該凹溝１２３の断面上面１２３ａは円弧形状で、当該凹溝１２３の断面端部１２３ｂが直線状に形成されている。当該凹溝１２３に壁の角部Ｐを合わせて前記壁装用コーナー材１０を取り付けることによって、前記壁装用コーナー材１０を壁の角部Ｐに正確に位置決めすることが可能となる。前記凹溝１２３の断面形状は正方形状、長方形状、楕円形状または円形状でもよい。
前記一対の折り曲げ部材１２２，１２２は、前記定規部中心部１２１と前記一対の取付部１３，１３の間に取り付けられ、壁の角部Ｐに前記壁装用コーナー材１０を適用する際に簡単に略９０度に折り曲げるための部材であり、一端は前記定規部中心部１２１に取り付けられ、他端は前記取付部１３に取り付けられる。前記一対の折り曲げ部材１２２，１２２は前記壁装用コーナー材１０を折り曲げ易いように、前記定規部中心部１２１の端部および前記取付部１３の端部の厚さよりも薄く形成される。また、前記定規部中心部１２１から前記取付部１３にかけてなだらかな円弧形状をなす。
前記定規部中心部１２１は硬質の合成樹脂製であり、前記一対の折り曲げ部材１２２，１２２は軟質もしくは半硬質の合成樹脂製である。
前記定規部中心部１２１の前記上面の断面形状は曲率半径約４．０ｍｍの円弧形状であることが望ましい。また、側面視で前記定規部中心部１２１の幅１２１ｈは約４．０ｍｍで、前記定規部中心部１２１両端の厚みは約０．７ｍｍ、前記定規中心部１２１の前記取付部１３底面からの高さは約１．５ｍｍ、前記凹溝１２３の幅は約１．５ｍｍ、前記凹溝１２３の前記定規中心部１２１底面からの高さは約０．４ｍｍである。
前記定規部中心部１２１、前記取付部１３および前記凹溝等の前記壁装用コーナー材１０の大きさや形は前記取付部１３の強度や、壁の縁面Ｑへの固定度合いを考慮し、適宜選択可能である。
【００２３】
前記一対の取付部１３，１３は（図３）、前記壁の縁面Ｑに取り付けるための長尺の形状の部材であり、硬質の合成樹脂製で、一端は前記折り曲げ部材１２２に取り付けられ、他端は前記取付部１３の他端部に向かってその厚みが徐々に薄くなるように形成されている。さらに前記取付部１３は一部上面（塗り壁材、パテもしくはクロスを取り付ける側の側面）に凹凸１３１が形成される（図３、図５）。凹凸１３１は連続した凹凸形状、連続した三角形状または波形等でも良い。上面が凹凸になっていることにより、塗り壁材、パテまたはクロスが食いつき易いという効果がある。そして前記一対の取付部１３，１３には、塗り壁材やパテが入り込むための複数の円形状の貫通穴３ａの列が形成され、前記貫通穴３ａは前記取付部１３の長手方向に沿って間隔をもって複数形成される。本実施の形態の貫通穴３ａは、直径約４ｍｍで、前記貫通穴３ａの中心から隣の貫通穴３ａの中心までの間隔は約７ｍｍで、列数が３列で、列と列との間隔は約６ｍｍ〜８ｍｍである。本実施の形態では、列数は３列であるが、１列でも２列でも４列以上でもよい。また前記貫通穴３ａは、楕円形、正方形、長方形、多角形等種々選択可能である。また、前記貫通穴３ａのサイズや間隔、列数は前記取付部１３の強度や、壁の縁面Ｑへの固定度合いを考慮し、選択可能である。前記貫通穴３ａはパンチング等で簡単に形成可能である。
また前記一対の取付部１３，１３は前記取付部１３の他端部に向かってその厚みが徐々に薄くなるように形成されていたが、前記一対の取付部１３，１３の他端部から一定幅の箇所にのみ厚みが徐々に薄くなるように形成され、その他の箇所は厚みは同じになるように形成してもよい。
さらに前記取付部１３の底面（壁側に取り付ける側面）には、壁の縁面Ｑに取り付けるための第１の接着部材１３２が取り付けられている。前記第１の接着部材１３２は、壁の縁面Ｑと前記取付部１３を接着できる部材であればよく、例えば離型紙付きの接着剤や両面テープ等で構成される。
前記取付部１３は、幅１３ｈは約２４ｍｍ、前記折り曲げ部材１２２に取り付けられる一端は厚み約０．５ｍｍ、他端部での厚み約０．２５ｍｍである。この厚みが大き過ぎると他の部分に比べて仕上げ表面が盛りあがり、逆に薄すぎると強度が不十分となる。厚みが徐々に薄くなることによって、前記取付部１３の他端部と縁面Ｑとの間に大きな段差が生じず、仕上げ後の表面に筋目等が生じない。上記凹凸１３１の幅１３１ｈは約１９．０ｍｍで、他端部から０．５ｍｍ〜２．０ｍｍの幅を空けて凹凸１３１が形成されている。
前記定規部中心部１２１、前記折り曲げ部材１２２および前記取付部１３の長さや厚みは前記定規部中心部１２１、前記折り曲げ部材１２２および前記取付部１３の強度や、縁面Ｑへの固定度合い等を考慮し、適宜選択可能である。
【００２４】
前記定規部中心部１２１は硬質の合成樹脂製としたが、軟質もしくは半硬質の合成樹脂製でもよい。また前記取付部１３は硬質の合成樹脂製としたが、軟質の合成樹脂製でもよい。
前記定規部中心部１２１を軟質もしくは半硬質の合成樹脂製とした場合や、前記取付部１３を軟質の合成樹脂製とした場合は、前記壁装用コーナー材１０がより曲げ易くなり、前記壁の角部Ｐに装着しやすくなる。
【００２５】
前記壁装用コーナー材１０を壁に取り付ける場合（図６）、前記定規部中心部１２１の底面に設けられた前記凹溝１２３に壁の角部Ｐを合わせ、前記壁装用コーナー材１０を前記定規部中心部１２１を中心に折り曲げる。前記壁装用コーナー材１０を折り曲げると、前記凹溝１２３の断面上部１２３ａの中心に壁の角部Ｐの頂点（１２３ａａ）が接触するか、もしくは前記凹溝１２３の断面端部１２３ｂの端１２３ｂａ（図４、図６）が壁の角部Ｐに接触することで、前記取付部１３と縁面Ｑとの間に隙間があったとしても前記壁装用コーナー材１０が充分に固定される。よって、前記壁の角部Ｐに対して前記定規部中心部１２１を正確に位置決めすることが可能となる。その後、前記折り曲げ部材１２２は軟質もしくは半硬質の素材で形成されているため前記折り曲げ部材１２２は変形し、前記一対の取付部１３，１３の底面に取り付けられた第１の接着部材１３２を使用して未仕上げの壁（縁面Ｑ）に前記取付部１３を添着すると、前記壁装用コーナー材１０が前記定規部中心部１２１を中心に緩やかな円弧形状をなす。そして前記定規部中心部１２１を基準にして、塗り壁材、パテもしくはクロスを塗布する。
【００２６】
本実施の形態の壁装用コーナー材１０を使用すると、前記凹溝１２３によって前記取付部１３と縁面Ｑとの間に隙間があったとしても正確に前記壁装用コーナー材１０を取り付けることが可能となる。
さらに、本実施形態の壁装用コーナー材１０は前記一対の折り曲げ部材１２２，１２２が軟質もしくは半硬質の合成樹脂製であるため、簡単に略９０度に折り曲げることが可能となり、クロス仕上げ工事、左官仕上げ工事またはペンキ工事において取扱いが容易となる。前記定規部中心部１２１を軟質もしくは半硬質の合成樹脂製とした場合や、前記取付部１３を軟質の合成樹脂製とした場合は、前記壁装用コーナー材１０がより曲げ易くなり、前記壁の角部Ｐに装着しやすくなる。
そして、前記壁装用コーナー材１０の一部の上面が凹凸になっていることにより、塗り壁材、パテまたはクロスが食いつき易いという効果がある。
また、ロール状に捲回できることによって、保管や販売での包装が容易となる。
【００２７】
（第２の本実施の形態）
図７は本発明の第２の実施形態の壁装用コーナー材を示す正面図であり、図８は上記第２の実施形態の壁装用コーナー材を示す側面図である。図９は上記第２の実施形態の壁装用コーナー材を壁に適用した場合の断面図である。第１の実施の形態と同様の構成に関しては、同一部分に同一符号を付して重複する説明を省略する。
【００２８】
本実施の形態の壁装用コーナー材２０は、クロスなどの壁装材を壁面に貼り付けて仕上げるクロス仕上げ工事、左官仕上げ工事またはペンキ工事において、壁の角部を綺麗に仕上げる目的で使用されるコーナー材において、壁の角部に正確に位置決めして貼り付け可能な部材であり、断面上面（塗り壁材、パテもしくはクロスを取り付ける側の側面）が円弧状である定規部２２と当該定規部２２の両端に取り付けられた一対の取付部２３，２３から構成される。
本実施の形態の壁装用コーナー材２０は軟質の合成樹脂製であることから、ロール状に捲回され、所定長さで切断されて使用することで、保管や販売での包装を容易にすることができる（図１）。
前記壁装用コーナー材２０は、押し出し一体成形で製造することが可能であるし、前記取付部２３と前記定規部２２を別々に形成し、その後、圧着や接着剤等で取り付けることも可能である。
【００２９】
前記定規部２２は、断面上面（塗り壁材、パテもしくはクロスを取り付ける側の面）が円弧状であり、断面底面（壁側に取り付ける面）には壁の角部Ｐの頂点を受け入れる凹溝２２３が形成される。
前記定規部２２は、壁の角部Ｐの頂点部分に取り付けられ、塗り壁材もしくはクロスを取り付けた際になだらかな湾曲した円弧形状をなす。前記凹溝２２３の断面形状は壁の角部Ｐの頂点を受け入れるために、底辺を除く三角形状（図７）の２辺で形成される。
前記定規部２２の端部と前記一対の取付部２３，２３の端部とが接合するコーナー部Ｃ１（図７）には、上面（塗り壁材、パテもしくはクロスを取り付ける側の側面）に前記壁装用コーナー材２０の長手方向に伸長した一対の切れ目２４，２４が形成される。前記切れ目２４を設けることにより、前記壁装用コーナー材２０を壁に取り付ける際に折り曲げ易くなる効果がある。前記切れ目２４は、一対の側面２４ａ，２４ｂから構成され、前記壁装用コーナー材２０が未使用で直線形状の場合（図７）は、前記側面２４ａと前記側面２４ｂは重ね合わされて、前記切れ目２４が閉じた状態となり、前記壁装用コーナー材２０が折り曲げられて壁に適用されている状態の場合（図９）は、前記側面２４ａと前記側面２４ｂは離反し、前記切れ目２４が開いた状態となる。
【００３０】
前記一対の取付部２３，２３は（図８）、前記壁の縁面Ｑに取り付けるための長尺の形状の部材であり、一端は前記定規部２２に取り付けられ、他端は前記取付部２３の他端部に向かってその厚みが徐々に薄くなるように形成されており、前記一対の取付部２３，２３には、塗り壁材やパテが入り込むための複数の円形状の貫通穴３ａの列が形成され、前記貫通穴３ａは前記取付部２３の長手方向に沿って間隔をもって複数形成される。また、前記定規部２２の端部と前記一対の取付部２３，２３の端部とが接合するコーナー部Ｃ１（図７）には、楕円形状のスリットＳ１が連続形成されている。楕円形状の前記スリットＳ１は、前記定規部２２の中心を基準として紙面上、上下に列をなし（図８）、上下のスリットＳ１、Ｓ１同士は連結している。連結していることで前記定規部２２の中心に切れ目が生じ、スリットＳ２が形成され、捲回しやすくなるとともに、塗り壁材が入りやすくなる。なお、前記スリットＳ１、Ｓ２は無くてもよい。本実施の形態のスリットＳ１は、紙やテープに鋏を入れたときのような切り込みでも良いし、円状、長方形状、正方形状でもよい。また、一つおきにサイズや形状を変更してもよい。
さらに前記取付部２３の底面（壁側に取り付ける側面）には、壁の縁面Ｑに取り付けるための第１の接着部材１３２が取り付けられている。
【００３１】
前記定規部２２は、側面視で幅２２ｈが約４．０ｍｍで、前記定規部２２両端の厚みは約０．８ｍｍ、前記定規部２２の前記取付部２３底面からの高さは約２．０ｍｍ、断面視で前記凹溝２２３の１辺の長さは約２．５ｍｍである。
前記取付部２３は、幅２３ｈは約２５．０ｍｍ、前記定規部２２に取り付けられる一端は厚み約０．８ｍｍ、他端部での厚み約０．３ｍｍである。この厚みが大き過ぎると他の部分に比べて仕上げ表面が盛りあがり、逆に薄すぎると強度が不十分となる。厚みが徐々に薄くなることによって、前記取付部２３の他端部と縁面Ｑとの間に大きな段差が生じず、仕上げ後の表面に筋目等が生じない。
前記定規部２２、前記取付部２３の長さや厚みは強度や、縁面Ｑへの固定度合い等を考慮し、適宜選択可能である。
【００３２】
ここで、壁装用コーナー材２０は軟質の合成樹脂製としたが、硬質の合成樹脂製でもよいし、前記取付部２３は、軟質の合成樹脂製（あるいは紙製）として、前記定規部２２は硬質の合成樹脂製であっても良い。また、前記取付部２３は、硬質の合成樹脂製として、前記定規部２２は軟質の合成樹脂製又は紙製であっても良い。このように組み合わせて連結させると、前記スリットＳ１の形成が容易である。さらに、前記スリットＳ１を紙やテープに鋏を入れた切り込みにすると、本実施の形態の壁装用コーナー材２０を容易に製造することができる。
【００３３】
前記壁装用コーナー材２０を壁に取り付ける場合（図９）、前記定規部２２の底面に設けられた前記凹溝２２３に壁の角部Ｐを合わせ、前記壁装用コーナー材２０を前記定規部２２を中心に折り曲げる。前記壁装用コーナー材２０を折り曲げると、断面視で前記凹溝２２３の形状と壁の角部Ｐの形状が重ね合わされることで、前記壁装用コーナー材２０が充分に固定される。よって、前記壁の角部Ｐに対して前記定規部２２を正確に位置決めすることが可能となる。また前記コーナー部Ｃ１に設けられた切れ目２４によって、簡単に前記壁装用コーナー材２０は９０度に折り曲げることが可能で、前記一対の取付部２３，２３の底面に取り付けられた第１の接着部材１３２を使用して未仕上げの壁（縁面Ｑ）に前記取付部２３を添着することができる。その後、円弧形状に形成された前記定規部２２を基準にして、塗り壁材、パテもしくはクロスを塗布する。
【００３４】
本実施の形態の壁装用コーナー材２０を使用すると、前記凹溝２２３によって正確に前記壁装用コーナー材２０を取り付けることが可能となる。
さらに、本実施形態の壁装用コーナー材２０は前記コーナー部Ｃ１に切れ目２４が形成されているため、簡単に略９０度に折り曲げることが可能となり、クロス仕上げ工事、左官仕上げ工事またはペンキ工事において取扱いが容易となる。
また、前記切れ目２４の部分にスリットＳ１を設けることによって、より折り曲げ易く、そしてロール状に捲回しやすくなり、保管や販売での包装が容易となる。
【００３５】
（第３の本実施の形態）
図１０は本発明の第３の実施形態の壁装用コーナー材を示す正面図であり、図１１は上記第３の実施形態の壁装用コーナー材を示す側面図である。図１２は上記第３の実施形態の壁装用コーナー材を壁に適用した場合の断面図である。
【００３６】
第２の実施の形態である壁装用コーナー材２０はコーナー部Ｃ１の上面（塗り壁材、パテもしくはクロスを取り付ける側の側面）に一対の切れ目２４，２４が形成されていたのに対し、本実施の形態の壁装用コーナー材３０は、コーナー部Ｃ１の底面（壁側に取り付ける側面）に一対の切れ目３４，３４が形成したものであり、その他の構成は第１、第２の実施形態と同様であるため、同一部分に同一符号を付して重複する説明を省略する。
【００３７】
前記壁装用コーナー材３０は、前記定規部２２の端部と前記一対の取付部２３，２３の端部とが接合するコーナー部Ｃ１（図１０）に、底面（壁側に取り付ける側面）に前記壁装用コーナー材３０の長手方向に伸長した一対の切れ目３４，３４が形成される。前記切れ目３４を設けることにより、前記壁装用コーナー材３０を壁に取り付ける際に折り曲げ易くなる効果がある。前記切れ目３４は、一対の側面３４ａ，３４ｂから構成され、前記壁装用コーナー材３０が未使用で直線形状の場合（図１０）は、前記側面３４ａと前記側面３４ｂは離反し、前記切れ目３４が開いた状態となり、前記壁装用コーナー材３０が折り曲げられて壁に適用されている状態の場合（図１２）は、前記側面３４ａと前記側面３４ｂは重ね合わされて、前記切れ目３４が閉じた状態となる。
【００３８】
断面視で前記凹溝２２３の１辺の長さは約２．３ｍｍである。
【００３９】
本実施の形態の壁装用コーナー材３０を使用すると、前記凹溝２２３によって正確に前記壁装用コーナー材３０を取り付けることが可能であり、さらに、本実施形態の壁装用コーナー材３０は前記コーナー部Ｃ１に切れ目３４が形成されているため、簡単に略９０度に折り曲げることが可能となり、クロス仕上げ工事、左官仕上げ工事またはペンキ工事において取扱いが容易となる。
また、前記切れ目３４の部分にスリットＳ１を設けることによって、より折り曲げ易く、そしてロール状に捲回しやすくなり、保管や販売での包装が容易となる。
【００４０】
（第４の本実施の形態）
図１３は、本発明の第４の実施形態の壁装用コーナー材を示す正面図である。
【００４１】
本発明の第４の実施形態の壁装用コーナー材４０は第２の実施の形態である壁装用コーナー材２０の定規部２２の凹溝２２３の箇所に第２の接着部材４１を設けたものであり、その他の構成は第２の実施形態と同様であるため、同一部分に同一符号を付して重複する説明を省略する。
【００４２】
前記壁装用コーナー材４０は、断面上面（塗り壁材、パテもしくはクロスを取り付ける側の側面）が円弧状である定規部２２と当該定規部２２の両端に取り付けられた一対の取付部２３，２３から構成される。
【００４３】
前記定規部２２は、断面上面（塗り壁材、パテもしくはクロスを取り付ける側の面）が円弧状であり、断面底面（壁側に取り付ける面）には壁の角部Ｐの頂点を受け入れる凹溝２２３が形成される。
前記凹溝２２３の表面には、前記凹溝２２３が壁の角部Ｐを接着するための前記第２の接着部材４１が設けられている。
前記第２の接着部材４１は、圧力を加えると広がるが前記凹溝から流れ落ちることがない程度の粘性をもつ軟弱系の接着剤であり、例えば酢酸ビニル系接着剤が挙げられる。
【００４４】
前記壁装用コーナー材４０を壁に取り付ける場合、前記定規部２２の底面に設けられた前記凹溝２２３に壁の角部Ｐを合わせ、前記壁装用コーナー材２０を前記定規部２２を中心に折り曲げる。前記壁装用コーナー材４０を折り曲げると、断面視で前記凹溝２２３の形状と壁の角部Ｐの形状が重ね合わされることで、前記壁装用コーナー材４０が固定されるとともに、前記壁装用コーナー材４０と壁の角部Ｐが重ね合わされたことで、前記第２の接着部材４１が圧力を受けて前記壁の角部Ｐ周辺に広がり、前記壁装用コーナー材４０と前記壁の角部Ｐの間の隙間を埋めて接着することが可能となる。よって、より効果的に前記定規部２２と前記壁の角部Ｐを接着固定することが可能となり、前記定規部２２を正確に位置決めすることが可能となる。
【００４５】
（第５の本実施の形態）
図１４は、本発明の第５の実施形態の壁装用コーナー材を示す正面図である。
【００４６】
本発明の第５の実施形態の壁装用コーナー材５０は第３の実施の形態である壁装用コーナー材３０の定規部２２の凹溝２２３の箇所に第２の接着部材４１を設けたものであり、その他の構成は第３，第４の実施形態と同様であるため、同一部分に同一符号を付して重複する説明を省略する。
【００４７】
前記壁装用コーナー材５０は、断面上面（塗り壁材、パテもしくはクロスを取り付ける側の側面）が円弧状である定規部２２と当該定規部２２の両端に取り付けられた一対の取付部２３，２３から構成される。
【００４８】
前記定規部２２は、断面上面（塗り壁材、パテもしくはクロスを取り付ける側の面）が円弧状であり、断面底面（壁側に取り付ける面）には壁の角部Ｐの頂点を受け入れる凹溝２２３が形成される。
前記凹溝２２３の表面には、前記凹溝２２３が壁の角部Ｐを接着するための前記第２の接着部材４１が設けられている。
【００４９】
前記壁装用コーナー材５０を壁に取り付ける場合、前記定規部２２の底面に設けられた前記凹溝２２３に壁の角部Ｐを合わせ、前記壁装用コーナー材２０を前記定規部２２を中心に折り曲げる。前記壁装用コーナー材５０を折り曲げると、断面視で前記凹溝２２３の形状と壁の角部Ｐの形状が重ね合わされることで、前記壁装用コーナー材５０が固定されるとともに、前記壁装用コーナー材５０と壁の角部Ｐが重ね合わされたことで、前記第２の接着部材４１が圧力を受けて前記壁の角部Ｐ周辺に広がり、前記壁装用コーナー材５０と前記壁の角部Ｐの間の隙間を埋めて接着することが可能となる。よって、より効果的に前記定規部２２と前記壁の角部Ｐを接着固定することが可能となり、前記定規部２２を正確に位置決めすることが可能となる。
【００５０】
（第６の本実施の形態）
図１５は本発明の第６の実施形態の壁装用コーナー材を示す正面図であり、図１６は上記第６の実施形態の壁装用コーナー材を示す側面図である。図１７は上記第６の実施形態の壁装用コーナー材を壁に適用した場合の断面図である。
【００５１】
第２，第３の実施の形態である壁装用コーナー材２０，３０は前記定規部２２の端部と前記一対の取付部２３，２３の端部とが接合するコーナー部Ｃ１に一対の切れ目２４，２４，３４，３４が形成されていたのに対し、本実施の形態の壁装用コーナー材６０は、引掛け部６０ａと引掛け部端部６０ｂから構成され、引掛け部６０ａと引掛け部端部６０ｂの接合箇所（コーナー部Ｃ３）に切れ目６４を形成したものであり、前記引掛け部６０ａを壁の角部Ｐに引掛けて前記壁装用コーナー材６０を取り付けることで、さらに壁に正確かつ簡単に取り付け可能にしたものであり、その他の構成は第２、第３の実施形態と同様であるため、同一部分に同一符号を付して重複する説明を省略する。
【００５２】
本実施の形態の壁装用コーナー材６０は、軟質の合成樹脂製の定規に本発明を適用したものであり、引掛け部６０ａと引掛け部端部６０ｂから構成される。
本実施の形態の壁装用コーナー材６０は軟質の合成樹脂製であることから、ロール状に捲回され、所定長さで切断されて使用することで、保管や販売での包装を容易にすることができる（図１）。
前記壁装用コーナー材６０は押し出し一体成形で製造することが可能であるし、前記引掛け部６０ａと前記引掛け部端部６０ｂを別々に形成し、その後、圧着や接着剤等で取り付けることも可能である。
【００５３】
前記引掛け部６０ａは断面上面（塗り壁材、パテもしくはクロスを取り付ける側の面）が円弧状である第１の定規部６２ａと前記第１の定規部６２ａの端部から伸長して形成された長尺状の取付部６３ａから構成される。前記第１の定規部６２ａの断面底面（壁側に取り付ける面）には壁の角部Ｐの頂点を受け入れる溝６２３が形成され、前記第１の定規部６２ａの断面底面（壁側に取り付ける面）はＬ字形状をなす。
前記引掛け部端部６０ｂは、断面上面（塗り壁材、パテもしくはクロスを取り付ける側の面）が円弧状である第２の定規部６２ｂと前記第２の定規部６２ｂの端部から伸長して形成された長尺状の取付部６３ｂから構成される。
前記引掛け部６０ａと前記引掛け部端部６０ｂの接合箇所（コーナー部Ｃ３）には、底面（壁側に取り付ける側面）に前記引掛け部端部６０ｂの底面を基準としてθの角度をもち、そして前記壁装用コーナー材６０の長手方向に伸長した切れ目６４が形成されている。前記切れ目６４を設けることにより、前記壁装用コーナー材６０を壁に取り付ける際に折り曲げ易くなる効果がある。前記切れ目６４は、一対の側面６４ａ，６４ｂから構成され、前記壁装用コーナー材６０が未使用で直線形状の場合（図１５）は、前記側面６４ａと前記側面６４ｂは離反し、前記切れ目６４が開いた状態となり、前記壁装用コーナー材６０が折り曲げられて壁に適用されている状態の場合（図１７）は、前記側面６４ａと前記側面６４ｂが重ね合わされて、前記切れ目６４が閉じた状態となる。
前記第１の定規部６２ａと前記第２の定規部６２ｂは、断面上面（塗り壁材、パテもしくはクロスを取り付ける側の面）が同じ曲率半径の円弧状に形成され、前記壁装用コーナー材６０が折り曲げられて壁に適用されている状態の場合（図１７）、前記第１の定規部６２ａと前記第２の定規部６２ｂは連続したなだらかな円弧形状を形成する。
【００５４】
前記取付部６３ａ，６３ｂは（図１５）、前記壁の縁面Ｑに取り付けるための長尺の形状の部材であり、一端は前記第１，第２の定規部６２ａ，６２ｂにそれぞれ取り付けられ、他端は前記取付部６３ａ，６３ｂの他端部に向かってその厚みが徐々に薄くなるように形成されており、前記取付部６３ａ，６３ｂには、塗り壁材やパテが入り込むための複数の円形状の貫通穴３ａの列が形成され、前記貫通穴３ａは前記取付部６３ａ，６３ｂの長手方向に沿って間隔をもって複数形成される。また、前記引掛け部６０ａと前記引掛け部端部６０ｂの接合箇所（コーナー部Ｃ３）（図１５）には、楕円形状のスリットＳ１が連続形成されている。楕円形状の前記スリットＳ１は、前記コーナー部Ｃ３を中心として列をなす（図１６）。スリットＳ１が形成されていることにより、捲回しやすくなるとともに、塗り壁材が入りやすくなる。なお、前記スリットＳ１は無くてもよい。本実施の形態のスリットＳ１は、紙やテープに鋏を入れたときのような切り込みでも良いし、円状、長方形状、正方形状でもよい。また、一つおきにサイズや形状を変更してもよい。
前記取付部６３ａ，６３ｂの底面（壁側に取り付ける側面）には、壁の縁面Ｑに取り付けるための第１の接着部材１３２がそれぞれ取り付けられている。
【００５５】
前記第１，第２の定規部６２ａ，６２ｂの曲率半径は約４．０ｍｍであり、前記引掛け部６０ａと前記引掛け部端部６０ｂの幅６０ａｈ，６０ｂｈは２５．０ｍｍ、前記取付部６３ａ，６３ｂの一端は厚み約０．８５ｍｍ、他端部での厚み約０．３ｍｍである。この厚みが大き過ぎると他の部分に比べて仕上げ表面が盛りあがり、逆に薄すぎると強度が不十分となる。厚みが徐々に薄くなることによって、前記取付部６３ａ，６３ｂの他端部と縁面Ｑとの間に大きな段差が生じず、仕上げ後の表面に筋目等が生じない。
前記第１，第２の定規部６２ａ，６２ｂ、前記取付部６３ａ，６３ｂの曲率半径、長さや厚みは強度や、縁面Ｑへの固定度合い等を考慮し、適宜選択可能である。
【００５６】
ここで、壁装用コーナー材６０は軟質の合成樹脂製としたが、前記取付部６３ａ，６３ｂは、軟質の合成樹脂製（或いは紙製）として、前記第１，第２の定規部６２ａ，６２ｂは硬質の合成樹脂製であっても良い。また、前記取付部６３ａ，６３ｂは、硬質の合成樹脂製として、前記第１，第２の定規部６２ａ，６２ｂは軟質の合成樹脂製又は紙製であっても良い。このように組み合わせて連結させると、前記スリットＳ１の形成が容易である。さらに、前記スリットＳ１を紙やテープに鋏を入れた切り込みにすると、本実施の形態の壁装用コーナー材６０を容易に製造することができる。
【００５７】
前記壁装用コーナー材６０を壁に取り付ける場合（図１７）、前記第１の定規部６２ａの底面に設けられた前記溝６２３に壁の角部Ｐを合わせ、前記引掛け部６０ａを引掛ける。その後、前記切れ目６４を閉じることよって前記引掛け部端部６０ｂを壁に取り付けると、前記壁装用コーナー材６０が正確に壁に固定される。前記引掛け部６０ａを壁に引掛けて固定することによって、前記壁の角部Ｐに対して前記第１，第２の定規部６２ａ，６２ｂを正確に位置決めすることが可能となる。また前記コーナー部Ｃ３に設けられた切れ目６４によって、簡単に前記壁装用コーナー材６０は９０度に折り曲げることが可能で、前記取付部６３ａ，６３ｂの底面に取り付けられた第１の接着部材１３２を使用して未仕上げの壁（縁面Ｑ）に前記取付部６３ａ，６３ｂを添着することができる。その後、円弧形状に形成された前記前記第１，第２の定規部６２ａ，６２ｂを基準にして、塗り壁材、パテもしくはクロスを塗布する。
【００５８】
本実施の形態の壁装用コーナー材６０を使用すると、前記引掛け部６０ａを壁に引掛けて固定することによって、正確に前記壁装用コーナー材６０を取り付けることが可能となる。
さらに、本実施形態の壁装用コーナー材６０は前記コーナー部Ｃ３に切れ目６４が形成されているため、簡単に略９０度に折り曲げることが可能となり、クロス仕上げ工事、左官仕上げ工事またはペンキ工事において取扱いが容易となる。
また、前記切れ目６４の部分にスリットＳ１を設けることによって、より折り曲げ易く、そしてロール状に捲回しやすくなり、保管や販売での包装が容易となる。
【００５９】
（第７の本実施の形態）
図１８は本発明の第７の実施形態の壁装用コーナー材を示す正面図であり、図１９は上記第７の実施形態の壁装用コーナー材の定規部を示す分解正面図である。図２０は上記第７の実施形態の壁装用コーナー材の取付部を示す分解正面図であり、図２１は上記第７の実施形態の壁装用コーナー材を示す側面図である。図２２は上記第７の実施形態の壁装用コーナー材を壁に適用した場合の断面図である。第２，第３，第４，第５，第６の実施の形態と同様の構成に関しては、同一部分に同一符号を付して重複する説明を省略する。
【００６０】
本実施の形態の壁装用コーナー材７０は、軟質の合成樹脂製の定規に本発明を適用したものであり、断面が半円状の定規部７２と当該定規部７２の底面に取り付けられた一対の取付部７３，７３から構成される。
本実施の形態の壁装用コーナー材７０は軟質の合成樹脂製であることから、ロール状に捲回され、所定長さで切断されて使用することで、保管や販売での包装を容易にすることができる（図１）。
前記壁装用コーナー材７０は押し出し一体成形で製造することが可能であるし、前記取付部７３と前記定規部７２を別々に形成し、その後、圧着や接着剤等で取り付けることも可能である。
【００６１】
前記定規部７２は、断面上面（塗り壁材、パテもしくはクロスを取り付ける側の側面）が円弧状で断面底面（壁側に取り付ける側面）が直線状であり、前記断面底面の中心に壁の角部Ｐの頂点を受け入れる凹溝７２３が形成される。前記凹溝７２３の断面形状は壁の角部Ｐの頂点を受け入れるために、底辺を除く三角形状（図１８）の一対の面７２３ａ，７２３ａ（傾斜角度β）で形成される。前記定規部７２は、壁の角部Ｐの頂点部分に取り付けられ、壁の角部Ｐの頂点部分に取り付けられた場合に壁の角部Ｐから突出してなだらかな湾曲した円弧形状を形成する。
前記凹溝７２３の断面底面（壁側に取り付ける側面）の両端（定規部側接合面Ｄ１）（図１９）には、前記一対の取付部７３，７３（取付部側接合面Ｄ２）（図２０）が取り付けられている。
【００６２】
前記一対の取付部７３，７３は（図１８）、前記壁の縁面Ｑに取り付けるための長尺の形状の部材であり、一端上面（取付部側接合面Ｄ２）は前記定規部７２の底面（定規部側接合面Ｄ１）に取り付けられ、他端は前記取付部７３の他端部に向かってその厚みが徐々に薄くなるように形成されており、前記一対の取付部７３，７３には、塗り壁材やパテが入り込むための複数の円形状の貫通穴３ａの列が形成され、前記貫通穴３ａは前記取付部２３の長手方向に沿って間隔をもって複数形成される。前記一対の取付部７３，７３の一端側面は前記取付部７３，７３を一部斜めに切り欠いた状態に形成され、断面形状が前記一対の取付部７３，７３の底面から角度αで傾斜した一対の面７２３ａｂ，７２３ａｂと前記一対の取付部７３，７３の底面を基準として角度βで傾斜した一対の面７２３ａａ，７２３ａａで構成される。前記一対の面７２３ａｂ，７２３ａｂの一端は前記一対の取付部７３，７３の底面から角度αで伸長し、前記一対の面７２３ａｂ，７２３ａｂの他端は前記一対の面７２３ａａ，７２３ａａの一端（コーナー部Ｃ４）に取り付けられる。前記一対の面７２３ａａ，７２３ａａは、前記定規部７２の前記一対の面７２３ａ，７２３ａと同じ傾斜角度であり、前記一対の面７２３ａａ，７２３ａａの他端は伸長して前記定規部７２の前記一対の面７２３ａ，７２３ａと接合される。
前記取付部７３，７３を一部斜めに切り欠いた状態に形成されていることから、前記一対の面７２３ａｂ，７２３ａｂの他端と前記一対の面７２３ａａ，７２３ａａの一端の接合箇所（コーナー部Ｃ４）がその他の箇所に比べて厚みが小さい形状となり、折れ線の役割を果たす。よって、コーナー部Ｃ４周辺が変形して折れ曲がることにより、前記壁装用コーナー材７０は略９０度に折れ曲がることが可能となる。
前記一対の取付部７３，７３には、楕円形状のスリットＳ１が連続形成されている。楕円形状の前記スリットＳ１は、前記定規部７２の中心を基準として紙面上、上下に列をなし（図２１）、スリットＳ１があることにより、捲回しやすくなるとともに、塗り壁材が入りやすくなる。なお、前記スリットＳ１、Ｓ２は無くてもよい。本実施の形態のスリットＳ１は、紙やテープに鋏を入れたときのような切り込みでも良いし、円状、長方形状、正方形状でもよい。また、一つおきにサイズや形状を変更してもよい。
さらに前記取付部７３の底面（壁側に取り付ける側面）には、壁の縁面Ｑに取り付けるための第１の接着部材１３２が取り付けられている。
【００６３】
前記壁装用コーナー材７０が未使用で直線形状の場合（図１８）は、前記定規部７２の直線状の底面と前記一対の取付部７３，７３の上面が重ね合わされた状態となり、前記壁装用コーナー材７０が折り曲げられて壁に適用されている状態の場合（図２２）は前記定規部７２の直線状の底面と前記一対の取付部７３，７３の上面は離反した状態となる。
【００６４】
前記定規部７２の断面上面は曲率半径４．００ｍｍまたは６．００ｍｍの円弧形状である。前記定規部７２は、曲率半径が４．００ｍｍの場合、側面視で幅７２ｈが約５．０ｍｍで、前記定規部７２の底面から上面までの厚みは約０．８ｍｍである。曲率半径が６．００ｍｍの場合、側面視で幅７２ｈが約６．６ｍｍである。
前記取付部７３は、幅７３ｈは約２５．０ｍｍ、前記定規部７２の最大の厚みは約０．５ｍｍ、他端部での厚み約０．３ｍｍである。この厚みが大き過ぎると他の部分に比べて仕上げ表面が盛りあがり、逆に薄すぎると強度が不十分となる。厚みが徐々に薄くなることによって、前記取付部７３の他端部と縁面Ｑとの間に大きな段差が生じず、仕上げ後の表面に筋目等が生じない。
前記定規部７２、前記取付部７３の曲率半径、長さまたは厚みは強度や、縁面Ｑへの固定度合い等を考慮し、適宜選択可能である。
【００６５】
ここで、壁装用コーナー材７０は軟質の合成樹脂製としたが、硬質の合成樹脂製でもよいし、前記取付部７３は、軟質の合成樹脂製（或いは紙製）として、前記定規部７２は硬質の合成樹脂製であっても良い。また、前記取付部７３は、硬質の合成樹脂製として、前記定規部７２は軟質の合成樹脂製又は紙製であっても良い。このように組み合わせて連結させると、前記スリットＳ１の形成が容易である。さらに、前記スリットＳ１を紙やテープに鋏を入れた切り込みにすると、本実施の形態の壁装用コーナー材２０を容易に製造することができる。
【００６６】
前記壁装用コーナー材７０を壁に取り付ける場合（図２２）、前記定規部７２の底面に設けられた前記凹溝７２３に壁の角部Ｐを合わせ、前記壁装用コーナー材７０を前記定規部７２を中心に折り曲げる。前記一対の面７２３ａｂ，７２３ａｂの他端と前記一対の面７２３ａａ，７２３ａａの一端の接合箇所（コーナー部Ｃ４）周辺が変形することにより、前記壁装用コーナー材７０は略９０度に折れ曲がることが可能となる。前記壁装用コーナー材７０を折り曲げると、前記定規部７２が壁の角部Ｐから突出してなだらかな湾曲した円弧形状を形成する。そして、前記凹溝７２３の断面上部の中心に壁の角部Ｐの頂点が接触（接触点Ｃ６）し、前記一対の面７２３ａｂ，７２３ａｂの一端と前記一対の取付部７３，７３の底面の接合点（コーナー部Ｃ５）が、壁面に接触することで、断面視で３点（コーナー部Ｃ５，接触点Ｃ６）で前記壁装用コーナー材７０が充分に固定される。よって、前記壁の角部Ｐに対して前記定規部７２を正確に位置決めすることが可能となる。その後、前記一対の取付部７３，７３の底面に取り付けられた第１の接着部材１３２を使用して未仕上げの壁（縁面Ｑ）に前記取付部７３を添着すると、前記壁装用コーナー材７０が前記定規部７２を中心に緩やかな円弧形状をなす。そして前記定規部７２を基準にして、塗り壁材、パテもしくはクロスを塗布する。
【００６７】
本実施の形態の壁装用コーナー材７０を使用すると、前記凹溝７２３によって正確に前記壁装用コーナー材７０を取り付けることが可能となる。
さらに、本実施形態の壁装用コーナー材７０はコーナー部Ｃ４周辺がその他の箇所に比べて厚みが小さい形状となり折れ線の役割を果たすため、コーナー部Ｃ４周辺が変形して折れ曲がることにより、前記壁装用コーナー材７０は簡単に略９０度に折れ曲がることが可能となる。そのためクロス仕上げ工事、左官仕上げ工事またはペンキ工事において取扱いが容易となる。
【００６８】
（第８の本実施の形態）
図２３は本発明の第８の実施形態の壁装用コーナー材を示す正面図であり、図２４は上記第８の実施形態の壁装用コーナー材を示す側面図である。図２５は上記第８の実施形態の壁装用コーナー材を壁に適用した場合の断面図である。第２，第３，第４，第５，第６の実施の形態と同様の構成に関しては、同一部分に同一符号を付して重複する説明を省略する。
【００６９】
本実施の形態の壁装用コーナー材８０は、断面上面（塗り壁材、パテもしくはクロスを取り付ける側の側面）が円弧状である定規部８２と当該定規部８２の両端に取り付けられた一対の取付部８３，８３から構成される。
本実施の形態の壁装用コーナー材８０は軟質の合成樹脂製であることから、ロール状に捲回され、所定長さで切断されて使用することで、保管や販売での包装を容易にすることができる（図１）。
前記壁装用コーナー材８０は、押し出し一体成形で製造することが可能であるし、前記取付部８３と前記定規部８２を別々に形成し、その後、圧着や接着剤等で取り付けることも可能である。
【００７０】
前記定規部８２は、断面上面（塗り壁材、パテもしくはクロスを取り付ける側の面）が円弧状であり、断面底面（壁側に取り付ける面）が直線状で、前記断面底面の中心に壁の角部Ｐの頂点を受け入れる凹溝８２３が形成される。前記凹溝８２３の断面形状は壁の角部Ｐの頂点を受け入れるために、底辺を除く三角形状（図２３）の２辺で形成され、２辺間の角度は略９０度である。前記定規部８２は、壁の角部Ｐの頂点部分に取り付けられ、壁の角部Ｐの頂点部分に取り付けられた場合に壁の角部Ｐから突出してなだらかな湾曲した円弧形状を形成する。
前記一対の取付部８３，８３は、前記壁の縁面Ｑに取り付けるための長尺の形状の部材である一対の取付部両端部８３ｂ，８３ｂと、当該取付部両端部８３ｂ，８３ｂに角度γの傾斜でそれぞれ取り付けられた取付部中心部８３ａ，８３ａから構成される。
前記一対の取付部両端部８３ｂ，８３ｂは、一端は前記取付部中心部８３ａ，８３ａにそれぞれ取り付けられ、他端は前記取付部両端部８３ｂ，８３ｂの他端部に向かってその厚みが徐々に薄くなるように形成されている。
前記一対の取付部中央部８３ａ，８３ａは、一端は前記定規部８２の両端にそれぞれ取り付けられ、他端は前記一対の取付部両端部８３ｂ，８３ｂにそれぞれ取り付けられる。また前記一対の取付部中央部８３ａ，８３ａは、前記取付部両端部８３ｂ，８３ｂとの接合箇所から前記定規部８２との接合箇所（コーナー部Ｃ７）に向かってその厚みが徐々に薄くなるように形成されている。よって、前記定規部８２と前記一対の取付部中央部８３ａ，８３ａの接合箇所（コーナー部Ｃ７）の厚みが他の箇所に比べて小さい形状となり、折れ線の役割を果たす。よって、コーナー部Ｃ７周辺が変形して折れ曲がることにより、前記壁装用コーナー材８０は略９０度に折れ曲がることが可能となる（図２５）。
前記一対の取付部８３，８３には、塗り壁材やパテが入り込むための複数の円形状の貫通穴３ａの列が形成され、前記貫通穴３ａは前記取付部８３の長手方向に沿って間隔をもって複数形成される。また、前記定規部８２の両端と前記一対の取付部中央部８３ａ，８３ａとが接合するコーナー部Ｃ７（図２４）の周辺には、楕円形状のスリットＳ１が連続形成されている。楕円形状の前記スリットＳ１は、前記定規部８２の中心を基準として紙面上、上下に列をなす。前記コーナー部Ｃ７の周辺にスリットＳ１が形成されているため、捲回しやすくなるとともに、塗り壁材が入りやすくなり、さらに前記壁装用コーナー材８０は略９０度に折れ曲がり易くなる（図２５）。なお、前記スリットＳ１は無くてもよい。本実施の形態のスリットＳ１は、紙やテープに鋏を入れたときのような切り込みでも良いし、円状、長方形状、正方形状でもよい。また、一つおきにサイズや形状を変更してもよい。また前記取付部両端部８３ｂ，８３ｂの底面（壁側に取り付ける側面）には、壁の縁面Ｑに取り付けるための第１の接着部材１３２が取り付けられている。
【００７１】
前記定規部８２は、断面上面は曲率半径が４．０ｍｍ、側面視で幅８２ｈが約５．６ｍｍで、前記取付部両端部８３ｂ，８３ｂの最大厚は約０．５ｍｍ、前記取付部両端部８３ｂ，８３ｂの最小厚は約０．３ｍｍである。断面視で前記定規部８２の前記凹溝８２３の１辺の長さは約１．１ｍｍである。側面視で前記取付部８３の幅８３ｈは約２２．０ｍｍである。この厚みが大き過ぎると他の部分に比べて仕上げ表面が盛りあがり、逆に薄すぎると強度が不十分となる。厚みが徐々に薄くなることによって、前記取付部両端部８３ｂ，８３ｂの他端部と縁面Ｑとの間に大きな段差が生じず、仕上げ後の表面に筋目等が生じない。
前記定規部８２、前記取付部８３の長さや厚みは強度や、縁面Ｑへの固定度合い等を考慮し、適宜選択可能である。
【００７２】
ここで、壁装用コーナー材８０は軟質の合成樹脂製としたが、硬質の合成樹脂製でもよいし、前記取付部８３は、軟質の合成樹脂製（或いは紙製）として、前記定規部８２は硬質の合成樹脂製であっても良い。また、前記取付部８３は、硬質の合成樹脂製として、前記定規部８２は軟質の合成樹脂製又は紙製であっても良い。このように組み合わせて連結させると、前記スリットＳ１の形成が容易である。さらに、前記スリットＳ１を紙やテープに鋏を入れた切り込みにすると、本実施の形態の壁装用コーナー材８０を容易に製造することができる。
【００７３】
前記壁装用コーナー材８０を壁に取り付ける場合（図２５）、前記定規部８２の底面に設けられた前記凹溝８２３に壁の角部Ｐを合わせ、前記壁装用コーナー材８０を前記定規部８２を中心に折り曲げる。前記壁装用コーナー材８０を折り曲げると、断面視で前記凹溝８２３の形状と壁の角部Ｐの形状が重ね合わされることで、前記壁装用コーナー材８０が充分に固定される。よって、前記壁の角部Ｐに対して前記定規部８２を正確に位置決めすることが可能となるとともに、前記定規部８２は壁の角部Ｐから突出してなだらかな湾曲した円弧形状を形成する。また前記コーナー部Ｃ７によって、簡単に前記壁装用コーナー材８０は９０度に折り曲げることが可能で、前記一対の取付部両端部８３ｂ，８３ｂの底面に取り付けられた第１の接着部材１３２を使用して未仕上げの壁（縁面Ｑ）に前記取付部両端部８３ｂ，８３ｂを添着することができる。その後、円弧形状に突出形成された前記定規部８２を基準にして、塗り壁材、パテもしくはクロスを塗布する。
【００７４】
本実施の形態の壁装用コーナー材８０を使用すると、前記凹溝８２３によって正確に前記壁装用コーナー材８０を取り付けることが可能となる。
さらに、本実施形態の壁装用コーナー材８０は前記コーナー部Ｃ７が他の箇所に比べて厚みが小さく形成されているため、簡単に略９０度に折り曲げることが可能となり、クロス仕上げ工事、左官仕上げ工事またはペンキ工事において取扱いが容易となる。
また、前記コーナー部Ｃ７周辺にスリットＳ１を設けることによって、より折り曲げ易く、そしてロール状に捲回しやすくなり、保管や販売での包装が容易となる。
【００７５】
（第９の本実施の形態）
図２６は本発明の第９の実施形態の壁装用コーナー材を示す正面図であり、図２７は上記第９の実施形態の壁装用コーナー材を示す側面図である。図２８は上記第９の実施形態の壁装用コーナー材を壁に適用した場合の断面図である。
【００７６】
第１，第２，第３，第４，第５，第６，第７，第８の実施の形態である壁装用コーナー材１０，２０，３０，４０，５０，６０，７０，８０は面取りされていない壁の角部Ｐに適用されていたが、本実施の形態の壁装用コーナー材９０は面取りされている壁の角部（面取り部）Ｓに適用し、前記壁の面取り部Ｓになだらかな円弧形状を形成したものである。その他の構成は、第１，第２，第３，第４，第５，第６，第７，第８の実施の形態と同様であり、同一部分に同一符号を付して重複する説明を省略する。
【００７７】
本実施の形態の壁装用コーナー材９０は、断面上面（塗り壁材、パテもしくはクロスを取り付ける側の側面）が円弧状である定規部９２と当該定規部９２の両端に取り付けられた一対の取付部９３，９３から構成される。
本実施の形態の壁装用コーナー材９０は軟質の合成樹脂製であることから、ロール状に捲回され、所定長さで切断されて使用することで、保管や販売での包装を容易にすることができる（図１）。
前記壁装用コーナー材９０は、押し出し一体成形で製造することが可能であるし、前記取付部９３と前記定規部９２を別々に形成し、その後、圧着や接着剤等で取り付けることも可能である。
【００７８】
前記定規部９２は、断面上面（塗り壁材、パテもしくはクロスを取り付ける側の面）が円弧状であり、断面上面両端には直線状に切り欠いた傾斜９２ａ，９２ａが設けられる。断面底面（壁側に取り付ける面）両端９２ｂ，９２ｂが直線状で、前記断面底面の中心に壁の面取り部Ｓを受け入れる凹溝９２３が形成される。前記凹溝９２３の断面形状は下底を除く台形状（図２６）の３辺で形成され、前記凹溝９２３の形状は前記壁装用コーナー材９０を確実に前記壁の面取り部Ｓに固定するために、前記壁の面取り部Ｓの断面形状と同様の形状をなす（図２８）。前記断面底面両端９２ｂ，９２ｂと前記凹溝９２３の脚間の角度はωであり、角度ωは９０°＜ω＜１８０°である。前記定規部９２の断面上面は壁の面取り部Ｓに取り付けられた場合になだらかな湾曲した円弧形状をなす。
前記一対の取付部９３，９３は、前記壁の縁面Ｑに取り付けるための長尺の形状の部材であり、一端は前記定規部９２の両端（コーナー部Ｃ８）にそれぞれ取り付けられ、他端は前記取付部９３，９３の他端部に向かってその厚みが徐々に薄くなるように形成されている。また前記取付部９３，９３の一端の断面形状は、前記定規部９２との接合箇所（コーナー部Ｃ８）に向けて上面と底面を直線状に切り欠いた形状（上面側切り欠き９３ａ，底面側切り欠き９３ｂ）に形成されている。前記取付部９３，９３の一端の底面側切り欠き９３ｂは底面を基準に角度Δ傾斜しており、角度Δは９０°＜Δ＜１８０°である。よって、前記定規部９２の両端の形状と前記一対の取付部９３，９３の一端の形状から、前記定規部９２と前記取付部９３，９３の接合箇所（コーナー部Ｃ８）の厚みが他の箇所に比べて小さい形状となり、折れ線の役割を果たし、前記上面側切り欠き９３ａと前記傾斜９２ａから上面に切れ目が形成され、底面側切り欠き９３ｂと前記断面底面両端９２ｂから底面に切れ目が形成される。よって、コーナー部Ｃ８周辺が変形して折れ曲がることにより、前記壁装用コーナー材９０は略９０度に折れ曲がることが可能となる（図２８）。
前記一対の取付部９３，９３には、塗り壁材やパテが入り込むための複数の円形状の貫通穴３ａの列が形成され、前記貫通穴３ａは前記取付部９３の長手方向に沿って間隔をもって複数形成される。また、前記定規部９２の両端と前記一対の取付部９３，９３とが接合するコーナー部Ｃ８（図２７）を中心として楕円形状のスリットＳ１が連続形成されている。楕円形状の前記スリットＳ１は、前記定規部９２の中心を基準として紙面上、上下に列をなす。前記コーナー部Ｃ８の中心にスリットＳ１が形成されているため、捲回しやすくなるとともに、塗り壁材が入りやすくなり、さらに前記壁装用コーナー材９０は略９０度に折れ曲がり易くなる（図２８）。なお、前記スリットＳ１は無くてもよい。本実施の形態のスリットＳ１は、紙やテープに鋏を入れたときのような切り込みでも良いし、円状、長方形状、正方形状でもよい。また、一つおきにサイズや形状を変更してもよい。また前記取付部９３，９３の底面（壁側に取り付ける側面）には、壁の縁面Ｑに取り付けるための第１の接着部材１３２が取り付けられている。
【００７９】
前記定規部９２は、側面視で幅９２ｈが約８．０ｍｍで、前記定規部９２の断面上面の曲率半径は６．０ｍｍ、前記取付部９３，９３の最大厚は約０．６ｍｍ、前記定規部９３，９３の他端の厚さは約０．３ｍｍである。断面視で前記定規部９２の前記凹溝９２３の上底の長さは約５．４ｍｍ、脚の長さは約１．３ｍｍである。前記取付部９３の幅９３ｈは約２１．０ｍｍである。この厚みが大き過ぎると他の部分に比べて仕上げ表面が盛りあがり、逆に薄すぎると強度が不十分となる。厚みが徐々に薄くなることによって、前記取付部９３，９３の他端部と縁面Ｑとの間に大きな段差が生じず、仕上げ後の表面に筋目等が生じない。
前記定規部９２、前記取付部９３の長さや厚みは強度や、縁面Ｑへの固定度合い等を考慮し、適宜選択可能である。
【００８０】
ここで、壁装用コーナー材９０は軟質の合成樹脂製としたが、硬質の合成樹脂製でもよいし、前記取付部９３は、軟質の合成樹脂製（或いは紙製）として、前記定規部８２は硬質の合成樹脂製であっても良い。また、前記取付部９３は、硬質の合成樹脂製として、前記定規部９２は軟質の合成樹脂製又は紙製であっても良い。このように組み合わせて連結させると、前記スリットＳ１の形成が容易である。さらに、前記スリットＳ１を紙やテープに鋏を入れた切り込みにすると、本実施の形態の壁装用コーナー材８０を容易に製造することができる。
【００８１】
前記壁装用コーナー材９０を壁に取り付ける場合（図２８）、前記定規部９２の底面に設けられた前記凹溝９２３に壁の面取り部Ｓを合わせ、前記壁装用コーナー材９０を前記定規部９２を中心に折り曲げる。前記壁装用コーナー材９０を折り曲げると、断面視で前記凹溝９２３の形状と壁の面取り部Ｓの形状が重ね合わされることで、前記壁装用コーナー材９０が充分に固定される。よって、前記壁の面取り部Ｓに対して前記定規部９２を正確に位置決めすることが可能となるとともに、前記定規部９２は壁の面取り部Ｓになだらかな湾曲した円弧形状を形成する。また前記コーナー部Ｃ８によって、簡単に前記壁装用コーナー材９０は９０度に折り曲げることが可能で、前記一対の取付部９３，９３の底面に取り付けられた第１の接着部材１３２を使用して未仕上げの壁（縁面Ｑ）に前記取付部９３，９３を添着することができる。その後、円弧形状に形成された前記定規部９２を基準にして、塗り壁材、パテもしくはクロスを塗布する。
【００８２】
本実施の形態の壁装用コーナー材９０を使用すると、面取りされた壁の面取り部Ｓに対しても前記凹溝９２３によって正確に前記壁装用コーナー材９０を取り付けることが可能となる。
さらに、本実施形態の壁装用コーナー材９０は前記コーナー部Ｃ８が他の箇所に比べて厚みが小さく形成されているため、簡単に略９０度に折り曲げることが可能となり、クロス仕上げ工事、左官仕上げ工事またはペンキ工事において取扱いが容易となる。
また、前記コーナー部Ｃ８を中心にスリットＳ１を設けることによって、より折り曲げ易く、そしてロール状に捲回しやすくなり、保管や販売での包装が容易となる。
【００８３】
（第１０の本実施の形態）
図２９は本発明の第１０の実施形態の壁装用コーナー材を示す正面図であり、図３０は上記第１０の実施形態の壁装用コーナー材を示す側面図である。図３１は上記第１０の実施形態の壁装用コーナー材を壁に適用した場合の断面図である。
【００８４】
本実施の形態の壁装用コーナー材１００は、第９の実施の形態の壁装用コーナー材９０の前記定規部９２の前記凹溝９２３の上底の長さ、前記凹溝９２３の脚の長さ、角度ωおよび角度Δを変更して形成したものであり、本実施形態の壁装用コーナー材１００は、第９の実施の形態の壁装用コーナー材９０の壁の面取り部Ｓとは異なる大きさである壁の面取り部Ｓ’に対して適用されるものである。その他の構成は第２，第９の実施の形態と同様であり、同一部分に同一符号を付して重複する説明を省略する。
【００８５】
本実施の形態の壁装用コーナー材１００は、断面上面（塗り壁材、パテもしくはクロスを取り付ける側の側面）が円弧状である定規部９２と当該定規部９２の両端に取り付けられた一対の取付部９３，９３から構成される。
【００８６】
前記定規部９２は、断面底面（壁側に取り付ける面）両端９２ｂ，９２ｂが直線状で、前記断面底面の中心に壁の面取り部Ｓ’を受け入れる凹溝９２３が形成される。前記断面底面両端９２ｂ，９２ｂと前記凹溝９２３の脚間の角度はωであり、角度ωは略９０°である。前記定規部９２の断面上面は壁の面取り部Ｓに取り付けられた場合になだらかな湾曲した円弧形状をなす。
前記一対の取付部９３，９３の一端の底面側切り欠き９３ｂは底面を基準に角度Δ傾斜しており、角度Δは略９０°である。よって、前記定規部９２の両端の形状と前記一対の取付部９３，９３の一端の形状から、前記壁装用コーナー材１００を折り曲げて壁の面取り部Ｓ’に取り付けた場合、前記定規部９２と前記取付部９３，９３の接合箇所（コーナー部Ｃ８）において、前記断面底面両端９２ｂ，９２ｂと前記取付部９３の底面側切り欠き９３ｂは重ね合わされた状態となり、前記壁装用コーナー材１００はより壁の縁面Ｑに固定された状態となる。
【００８７】
断面視で前記定規部９２の前記凹溝９２３の上底の長さは約４．４ｍｍ、脚の長さは約１．９ｍｍであり、前記凹溝９２３の形状は壁の面取り部Ｓ’の形状に適合するように形成されている。
【００８８】
本実施の形態の壁装用コーナー材１００を使用すると、面取りされた壁の面取り部Ｓ’に対しても前記凹溝９２３によって正確に前記壁装用コーナー材１００を取り付けることが可能となるうえ、前記壁装用コーナー材１００を折り曲げて壁の面取り部Ｓ’に取り付けた場合、前記定規部９２と前記取付部９３，９３の接合箇所（コーナー部Ｃ８）において、前記断面底面両端９２ｂ，９２ｂと前記取付部９３の底面側切り欠き９３ｂは重ね合わされた状態となるため、前記壁装用コーナー材１００はより壁の縁面Ｑに固定された状態となる。
【００８９】
（第１１の本実施の形態）
図３２は本発明の第１１の実施形態の壁装用コーナー材を示す正面図であり、図３３は上記第１１の実施形態の壁装用コーナー材を示す側面図である。図３４は上記第１１の実施形態の壁装用コーナー材を壁に適用した場合の断面図である。
第８の実施の形態の壁装用コーナー材８０は前記定規部８２の断面底面（壁側に取り付ける面）が直線状で、前記断面底面の中心に壁の角部Ｐの頂点を受け入れる凹溝８２３が形成されていたが、本発明の第１１の実施の形態の壁装用コーナー材１１０は、定規１１２の断面底面（壁側に取り付ける面）が円弧状で、前記断面底面の中心に壁の角部Ｐの頂点を受け入れる凹溝１１２３が形成されている点が異なるものである。第２，第８の実施の形態と同様の構成に関しては、同一部分に同一符号を付して重複する説明を省略する。
【００９０】
本実施の形態の壁装用コーナー材１１０は、断面上面（塗り壁材、パテもしくはクロスを取り付ける側の側面）が円弧状である定規部１１２と当該定規部１１２の両端に取り付けられた一対の取付部１１３，１１３から構成される。
本実施の形態の壁装用コーナー材１１０は軟質の合成樹脂製であることから、ロール状に捲回され、所定長さで切断されて使用することで、保管や販売での包装を容易にすることができる（図１）。
前記壁装用コーナー材１１０は、押し出し一体成形で製造することが可能であるし、前記取付部１１３と前記定規部１１２を別々に形成し、その後、圧着や接着剤等で取り付けることも可能である。
【００９１】
前記定規部１１２は、断面上面（塗り壁材、パテもしくはクロスを取り付ける側の面）が円弧状であり、前記断面上面の両端（コーナー部Ｃ９）に一対の切り欠き１１２ａ，１１２ａが形成されている。前記定規部１１２の断面底面（壁側に取り付ける面）は円弧状で、前記断面底面の中心に壁の角部Ｐの頂点を受け入れる凹溝１１２３が形成される。前記凹溝１１２３の断面形状は壁の角部Ｐの頂点を受け入れるために、底辺を除く三角形状（図３２）の２辺で形成され、２辺間の角度は略９０度である。前記定規部１１２は、壁の角部Ｐの頂点部分に取り付けられ、壁の角部Ｐの頂点部分に取り付けられた場合に壁の角部Ｐから突出してなだらかな湾曲した円弧形状を形成する。
前記一対の取付部１１３，１１３は、前記壁の縁面Ｑに取り付けるための長尺の形状の部材である一対の取付部両端部１１３ｂ，１１３ｂと、当該取付部両端部１１３ｂ，１１３ｂに角度Ηの傾斜でそれぞれ取り付けられた取付部中心部１１３ａ，１１３ａから構成される。
前記一対の取付部両端部１１３ｂ，１１３ｂは、一端は前記取付部中心部１１３ａ，１１３ａにそれぞれ取り付けられ、他端は前記取付部両端部１１３ｂ，１１３ｂの他端部に向かってその厚みが徐々に薄くなるように形成されている。
前記一対の取付部中央部１１３ａ，１１３ａは、一端は前記定規部８２の両端にそれぞれ取り付けられ、他端は前記一対の取付部両端部１１３ｂ，１１３ｂにそれぞれ取り付けられる。また前記一対の取付部中央部１１３ａ，１１３ａは、前記取付部両端部１１３ｂ，１１３ｂとの接合箇所から前記定規部１１２との接合箇所（コーナー部Ｃ９）に向かってその厚みが徐々に薄くなるように形成され、コーナー部９周辺の断面上面両端は切り欠き１１３ａａ，１１３ａａが設けられている。よって、前記定規部１１２と前記一対の取付部中央部１１３ａ，１１３ａの接合箇所（コーナー部Ｃ９）の厚みが他の箇所に比べて小さい形状となり、折れ線の役割を果たし、前記切り欠き１１３ａａと前記定規部１１２の前記切り欠き１１２ａから上面に切れ目が形成される。よって、コーナー部Ｃ９周辺が変形して折れ曲がることにより、前記壁装用コーナー材１１０は略９０度に折れ曲がることが可能となる（図３４）。
前記一対の取付部１１３，１１３には、塗り壁材やパテが入り込むための複数の円形状の貫通穴３ａの列が形成され、前記貫通穴３ａは前記取付部１１３の長手方向に沿って間隔をもって複数形成される。また、前記定規部１１２の両端と前記一対の取付部中央部１１３ａ，１１３ａとが接合するコーナー部Ｃ９（図３３）を中心として楕円形状のスリットＳ１が連続形成されている。楕円形状の前記スリットＳ１は、前記定規部１１２の中心を基準として紙面上、上下に列をなす。前記コーナー部Ｃ９を中心にスリットＳ１が形成されているため、捲回しやすくなるとともに、塗り壁材が入りやすくなり、さらに前記壁装用コーナー材１１０は略９０度に折れ曲がり易くなる（図３４）。なお、前記スリットＳ１は無くてもよい。本実施の形態のスリットＳ１は、紙やテープに鋏を入れたときのような切り込みでも良いし、円状、長方形状、正方形状でもよい。また、一つおきにサイズや形状を変更してもよい。また前記取付部両端部１１３ｂ，１１３ｂの底面（壁側に取り付ける側面）には、壁の縁面Ｑに取り付けるための第１の接着部材１３２が取り付けられている。
【００９２】
前記定規部１１２は、断面上面は曲率半径が６．０ｍｍ、側面視で幅１１２ｈが約８．１ｍｍで、前記取付部両端部１１３ｂ，１１３ｂの最大厚は約０．５ｍｍ、前記取付部両端部１１３ｂ，１１３ｂの最小厚は約０．３ｍｍである。側面視で前記取付部１１３の幅１１３ｈは約２１．０ｍｍである。この厚みが大き過ぎると他の部分に比べて仕上げ表面が盛りあがり、逆に薄すぎると強度が不十分となる。厚みが徐々に薄くなることによって、前記取付部両端部１１３ｂ，１１３ｂの他端部と縁面Ｑとの間に大きな段差が生じず、仕上げ後の表面に筋目等が生じない。
前記定規部１１２、前記取付部１１３の長さや厚みは強度や、縁面Ｑへの固定度合い等を考慮し、適宜選択可能である。
【００９３】
ここで、壁装用コーナー材１１０は軟質の合成樹脂製としたが、硬質の合成樹脂製でもよいし、前記取付部１１３は、軟質の合成樹脂製（或いは紙製）として、前記定規部１１２は硬質の合成樹脂製であっても良い。また、前記取付部１１３は、硬質の合成樹脂製として、前記定規部１１２は軟質の合成樹脂製又は紙製であっても良い。このように組み合わせて連結させると、前記スリットＳ１の形成が容易である。さらに、前記スリットＳ１を紙やテープに鋏を入れた切り込みにすると、本実施の形態の壁装用コーナー材１１０を容易に製造することができる。
【００９４】
前記壁装用コーナー材１１０を壁に取り付ける場合（図３４）、前記定規部１１２の底面に設けられた前記凹溝１１２３に壁の角部Ｐを合わせ、前記壁装用コーナー材１１０を前記定規部１１２を中心に折り曲げる。前記壁装用コーナー材１１０を折り曲げると、断面視で前記凹溝１１２３の形状と壁の角部Ｐの形状が重ね合わされることで、前記壁装用コーナー材１１０が充分に固定される。よって、前記壁の角部Ｐに対して前記定規部１１２を正確に位置決めすることが可能となるとともに、前記定規部１１２は壁の角部Ｐから突出してなだらかな湾曲した円弧形状を形成する。また前記コーナー部Ｃ９によって、簡単に前記壁装用コーナー材１１０は９０度に折り曲げることが可能で、前記一対の取付部両端部１１３ｂ，１１３ｂの底面に取り付けられた第１の接着部材１３２を使用して未仕上げの壁（縁面Ｑ）に前記取付部両端部１１３ｂ，１１３ｂを添着することができる。その後、円弧形状に突出形成された前記定規部１１２を基準にして、塗り壁材、パテもしくはクロスを塗布する。
【００９５】
本実施の形態の壁装用コーナー材１１０を使用すると、前記凹溝１１２３によって正確に前記壁装用コーナー材１１０を取り付けることが可能となる。
さらに、本実施形態の壁装用コーナー材１１０は前記コーナー部Ｃ９が他の箇所に比べて厚みが小さく形成されているため、簡単に略９０度に折り曲げることが可能となり、クロス仕上げ工事、左官仕上げ工事またはペンキ工事において取扱いが容易となる。
また、前記コーナー部Ｃ９周辺にスリットＳ１を設けることによって、より折り曲げ易く、そしてロール状に捲回しやすくなり、保管や販売での包装が容易となる。
【００９６】
（第１２の本実施の形態）
図３５は本発明の第１２の実施形態の壁装用コーナー材を示す正面図であり、図３６は上記第１２の実施形態の壁装用コーナー材を示す側面図である。図３７は上記第１２の実施形態の壁装用コーナー材を壁に適用した場合の断面図である。
【００９７】
本発明の第１２の実施の形態の壁装用コーナー材１２０は、第８の実施の形態の壁装用コーナー材８０のコーナー部Ｃ７の厚みと比較して、取付部１２０３と定規部１２０２との接合箇所（コーナー部Ｃ１０）の厚みをより小さくしたものであり、第２，第８の実施の形態と同様のその他の構成に関しては、同一部分に同一符号を付して重複する説明を省略する。
【００９８】
本実施の形態の壁装用コーナー材１２０は、断面上面（塗り壁材、パテもしくはクロスを取り付ける側の側面）が円弧状である定規部１２０２と当該定規部１２０２の両端に取り付けられた一対の取付部１２０３，１２０３から構成される。
本実施の形態の壁装用コーナー材１２０は軟質の合成樹脂製であることから、ロール状に捲回され、所定長さで切断されて使用することで、保管や販売での包装を容易にすることができる（図１）。
前記壁装用コーナー材１２０は、押し出し一体成形で製造することが可能であるし、前記取付部１２０３と前記定規部１２０２を別々に形成し、その後、圧着や接着剤等で取り付けることも可能である。
【００９９】
前記定規部１２０２は、断面上面（塗り壁材、パテもしくはクロスを取り付ける側の面）が円弧状であり、断面底面（壁側に取り付ける面）が直線状で、前記断面底面の中心に壁の角部Ｐの頂点を受け入れる凹溝１２０２３が形成される。前記凹溝１２０２３の断面形状は壁の角部Ｐの頂点を受け入れるために、底辺を除く三角形状（図３５）の２辺で形成され、２辺間の角度は略９０度である。前記定規部１２０２は、壁の角部Ｐの頂点部分に取り付けられ、壁の角部Ｐの頂点部分に取り付けられた場合に壁の角部Ｐから突出してなだらかな湾曲した円弧形状を形成する。前記定規部１２０２の両端部（コーナー部Ｃ１０）は、断面上面に切り欠き１２０２ａ，１２０２ａ、断面底面に前記断面底面から紙面上（図３５）右方に傾斜をもった傾斜１２０２ｂ，１２０２ｂが設けられる。
前記一対の取付部１２０３，１２０３は、前記壁の縁面Ｑに取り付けるための長尺の形状の部材である一対の取付部両端部１２０３ｂ，１２０３ｂと、当該取付部両端部１２０３ｂ，１２０３ｂに角度Ｋの傾斜でそれぞれ取り付けられた取付部中心部１２０３ａ，１２０３ａから構成される。
前記一対の取付部両端部１２０３ｂ，１２０３ｂは、一端は前記取付部中心部１２０３ａ，１２０３ａにそれぞれ取り付けられ、他端は前記取付部両端部１２０３ｂ，１２０３ｂの他端部に向かってその厚みが徐々に薄くなるように形成されている。
前記一対の取付部中央部１２０３ａ，１２０３ａは、一端は前記定規部１２０２の両端にそれぞれ取り付けられ、他端は前記一対の取付部両端部１２０３ｂ，１２０３ｂにそれぞれ取り付けられる。また前記一対の取付部中央部１２０３ａ，１２０３ａの一端（コーナー部Ｃ１０）には、断面上面に切り欠き１２０３ａａ，１２０３ａａが、断面底面に切り欠き１２０３ａｂ，１２０３ａｂが設けられている。よって、前記定規部１２０２と前記一対の取付部中央部１２０３ａ，１２０３ａの接合箇所（コーナー部Ｃ１０）の厚みが前記切り欠き１２０２ａ、前記傾斜１２０２ｂ、前記切り欠き１２０３ａａ，１２０３ａｂが設けられていることによって、他の箇所に比べて薄い形状となり、折れ線の役割を果たし、前記切り欠き１２０３ａａと前記定規部１２０２の前記切り欠き１２０２ａから上面に切れ目が形成され、前記切り欠き１２０３ａｂと前記定規部１２０２の前記定規部の傾斜１２０２ｂから底面に切れ目が形成される。このことから、コーナー部Ｃ１０周辺が変形して折れ曲がることにより、前記壁装用コーナー材１２０は略９０度に折れ曲がることが可能となる（図３７）。
前記一対の取付部１２０３，１２０３には、塗り壁材やパテが入り込むための複数の円形状の貫通穴３ａの列が形成され、前記貫通穴３ａは前記取付部１２０３の長手方向に沿って間隔をもって複数形成される。また、前記定規部１２０２の両端と前記一対の取付部中央部１２０３ａ，１２０３ａとが接合するコーナー部Ｃ１０（図３６）を中心として楕円形状のスリットＳ１が連続形成されている。楕円形状の前記スリットＳ１は、前記定規部１２０２の中心を基準として紙面上、上下に列をなす。前記コーナー部Ｃ１０を中心としてスリットＳ１が形成されているため、捲回しやすくなるとともに、塗り壁材が入りやすくなり、さらに前記壁装用コーナー材１２０２は略９０度に折れ曲がり易くなる（図３７）。なお、前記スリットＳ１は無くてもよい。本実施の形態のスリットＳ１は、紙やテープに鋏を入れたときのような切り込みでも良いし、円状、長方形状、正方形状でもよい。また、一つおきにサイズや形状を変更してもよい。また前記取付部両端部１２０３ｂ，１２０３ｂの底面（壁側に取り付ける側面）には、壁の縁面Ｑに取り付けるための第１の接着部材１３２が取り付けられている（図示なし）。
【０１００】
前記定規部１２０２は、断面上面は曲率半径が６．０ｍｍ、側面視で幅１２０２ｈが約８．１ｍｍで、前記取付部両端部１２０３ｂ，１２０３ｂの最大厚は約０．５ｍｍ、前記取付部両端部１２０３ｂ，１２０３ｂの最小厚は約０．３ｍｍである。断面視で前記定規部１２０２の前記凹溝１２０２３の１辺の長さは約１．０ｍｍである。側面視で前記取付部１２０３の幅１２０３ｈは約２１．０ｍｍである。この厚みが大き過ぎると他の部分に比べて仕上げ表面が盛りあがり、逆に薄すぎると強度が不十分となる。厚みが徐々に薄くなることによって、前記取付部両端部１２０３ｂ，１２０３ｂの他端部と縁面Ｑとの間に大きな段差が生じず、仕上げ後の表面に筋目等が生じない。
前記定規部１２０２、前記取付部１２０３の長さや厚みは強度や、縁面Ｑへの固定度合い等を考慮し、適宜選択可能である。
【０１０１】
ここで、壁装用コーナー材１２０は軟質の合成樹脂製としたが、硬質の合成樹脂製でもよいし、前記取付部１２０３は、軟質の合成樹脂製（或いは紙製）として、前記定規部１２０２は硬質の合成樹脂製であっても良い。また、前記取付部１２０３は、硬質の合成樹脂製として、前記定規部１２０２は軟質の合成樹脂製又は紙製であっても良い。このように組み合わせて連結させると、前記スリットＳ１の形成が容易である。さらに、前記スリットＳ１を紙やテープに鋏を入れた切り込みにすると、本実施の形態の壁装用コーナー材１２０を容易に製造することができる。
【０１０２】
前記壁装用コーナー材１２０を壁に取り付ける場合（図３７）、前記定規部１２０２の底面に設けられた前記凹溝１２０２３に壁の角部Ｐを合わせ、前記壁装用コーナー材１２０を前記定規部１２０２を中心に折り曲げる。前記壁装用コーナー材１２０を折り曲げると、断面視で前記凹溝１２０２３の形状と壁の角部Ｐの形状が重ね合わされることで、前記壁装用コーナー材１２０が充分に固定される。よって、前記壁の角部Ｐに対して前記定規部１２０２を正確に位置決めすることが可能となるとともに、前記定規部１２０２は壁の角部Ｐから突出してなだらかな湾曲した円弧形状を形成する。また前記コーナー部Ｃ１０によって、簡単に前記壁装用コーナー材１２０は９０度に折り曲げることが可能で、前記一対の取付部両端部１２０３ｂ，１２０３ｂの底面に取り付けられた第１の接着部材１３２を使用して未仕上げの壁（縁面Ｑ）に前記取付部両端部１２０３ｂ，１２０３ｂを添着することができる。その後、円弧形状に突出形成された前記定規部１２０２を基準にして、塗り壁材、パテもしくはクロスを塗布する。
【０１０３】
本実施の形態の壁装用コーナー材１２０を使用すると、前記凹溝１２０２３によって正確に前記壁装用コーナー材１２０を取り付けることが可能となる。
さらに、本実施形態の壁装用コーナー材１２０は前記コーナー部Ｃ１０が他の箇所に比べて厚みが小さく形成されているため、簡単に略９０度に折り曲げることが可能となり、クロス仕上げ工事、左官仕上げ工事またはペンキ工事において取扱いが容易となる。
また、前記コーナー部Ｃ１０周辺にスリットＳ１を設けることによって、より折り曲げ易く、そしてロール状に捲回しやすくなり、保管や販売での包装が容易となる。
【０１０４】
（第１３の本実施の形態）
図３８は本発明の第１３の実施形態の壁装用コーナー材の頭部拡大図（Ｂ’）である。図３９は上記第１３の実施形態の壁装用コーナー材を壁に適用した場合の断面図である。
【０１０５】
本実施の形態の壁装用コーナー材１３０は、第１の実施の形態の壁装用コーナー材１０の一対の折り曲げ部材１２２，１２２の断面底面中心位置に切れ目１３０４，１３０４を設けたものであり、その他の構成は第１の実施形態と同様であるため、同一部分に同一符号を付して重複する説明を省略する。
【０１０６】
本実施の形態の壁装用コーナー材１３０は、クロスなどの壁装材を壁面に貼り付けて仕上げるクロス仕上げ工事、左官仕上げ工事またはペンキ工事において、壁の角部を綺麗に仕上げる目的で使用されるコーナー材において、壁の角部に正確に位置決めして貼り付け可能な部材であり、壁の縁面Ｑに添設される一対の取付部１３，１３と、壁の角部Ｐに取り付けられる定規部１２とを備える（図３８、図３９）。
【０１０７】
前記定規部１２は、断面が円弧状である定規部中心部１２１と当該定規部１２２の両端に取り付けられた一対の折り曲げ部材１２２，１２２から構成される。
前記一対の折り曲げ部材１２２，１２２は、前記定規部中心部１２１と前記一対の取付部１３，１３の間に取り付けられ、壁の角部Ｐに前記壁装用コーナー材１３０を適用する際に簡単に略９０度に折り曲げるための部材であり、一端は前記定規部中心部１２１に取り付けられ、他端は前記取付部１３に取り付けられる。前記一対の折り曲げ部材１２２，１２２は前記壁装用コーナー材１０を折り曲げ易いように、前記定規部中心部１２１の端部および前記取付部１３の端部の厚さよりも薄く形成され、前記折り曲げ部材１２２，１２２の断面底面には、前記壁装用コーナー材１３０を折り曲げた際に略９０度の角度を維持するための切れ目１３０４，１３０４が設けられている。また、前記定規部中心部１２１から前記取付部１３にかけてなだらかな円弧形状をなす。
【０１０８】
前記壁装用コーナー材１３０を壁に取り付ける場合（図３９）、前記定規部中心部１２１の底面に設けられた前記凹溝１２３に壁の角部Ｐを合わせ、前記壁装用コーナー材１３０を前記定規部中心部１２１を中心に折り曲げる。前記壁装用コーナー材１３０を折り曲げると、前記凹溝１２３の断面上部１２３ａの中心に壁の角部Ｐの頂点（１２３ａａ）が接触するか、または前記凹溝１２３の断面端部１２３ｂの端１２３ｂａ（図４、図６）が壁の角部Ｐに接触することで、前記取付部１３と縁面Ｑとの間に隙間があったとしても前記壁装用コーナー材１３０が充分に固定される。さらに、前記切れ目１３０４，１３０４は前記壁装用コーナー材１３０を折り曲げた場合に切れ目が閉じられることによって略９０度に形状を維持しやすくなる。
【０１０９】
本実施の形態の壁装用コーナー材１３０を使用すると、前記凹溝１２３によって前記取付部１３と縁面Ｑとの間に隙間があったとしても正確に前記壁装用コーナー材１３０を取り付けることが可能となる。
さらに前記折り曲げ部材１２２，１２２の断面底面に設けられた前記切れ目１３０４，１３０４によって前記壁装用コーナー材１３０を折り曲げた場合に切れ目が閉じられ略９０度に形状を維持しやすくなる。
【符号の説明】
【０１１０】
１０、２０、３０、４０、５０、６０．７０、８０、９０、１００、１１０、１２０、１３０  壁装用コーナー材、
１３、２３、７３、８３、９３、１１３、１２０３                    取付部、
１２、２２、７２、８２、９２、１１２、１２０２                    定規部、
２４、３４、６４                                                  切れ目、
１３２                                                            第１の接着部材、
６０ａ                                                            引掛け部、
６０ｂ                                                            引掛け部端部、
４１                                                              第２の接着部材、
３ａ                                                              貫通穴、
１３１、１２４                                                    凹凸、
１２３、２２３、７２３、８２３、９２３、１１２３、１２０２３、    凹溝、
Ｐ                                                                壁の角部、
Ｑ                                                                壁の縁面、
Ｓ、Ｓ’                                                          壁の角部（面取り部）、
Ｓ１、Ｓ２                                                        スリット、
Ｃ１、Ｃ３、Ｃ４、Ｃ５、Ｃ７、Ｃ８、Ｃ９、Ｃ１０                  コーナー部、
Ｃ６                                                              接触点
【図１】
2017053100.tif 000003
【図２】
2017053100.tif 000004
【図３】
2017053100.tif 000005
【図４】
2017053100.tif 000006
【図５】
2017053100.tif 000007
【図６】
2017053100.tif 000008
【図７】
2017053100.tif 000009
【図８】
2017053100.tif 000010
【図９】
2017053100.tif 000011
【図１０】
2017053100.tif 000012
【図１１】
2017053100.tif 000013
【図１２】
2017053100.tif 000014
【図１３】
2017053100.tif 000015
【図１４】
2017053100.tif 000016
【図１５】
2017053100.tif 000017
【図１６】
2017053100.tif 000018
【図１７】
2017053100.tif 000019
【図１８】
2017053100.tif 000020
【図１９】
2017053100.tif 000021
【図２０】
2017053100.tif 000022
【図２１】
2017053100.tif 000023
【図２２】
2017053100.tif 000024
【図２３】
2017053100.tif 000025
【図２４】
2017053100.tif 000026
【図２５】
2017053100.tif 000027
【図２６】
2017053100.tif 000028
【図２７】
2017053100.tif 000029
【図２８】
2017053100.tif 000030
【図２９】
2017053100.tif 000031
【図３０】
2017053100.tif 000032
【図３１】
2017053100.tif 000033
【図３２】
2017053100.tif 000034
【図３３】
2017053100.tif 000035
【図３４】
2017053100.tif 000036
【図３５】
2017053100.tif 000037
【図３６】
2017053100.tif 000038
【図３７】
2017053100.tif 000039
【図３８】
2017053100.tif 000040
【図３９】
2017053100.tif 000041